(57)【特許請求の範囲】
【請求項１】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され、前記着信端末装置に提供すべき情報を格納する少なくとも１つの情報格納装置を備え、
前記着信端末装置は、前記呼接続装置から出力されるアドレス情報に基づいて前記情報格納手段に格納されている情報の少なくとも一部を取得し、
前記呼接続装置は、前記発信端末装置から出力される接続要求信号によって特定される着信端末装置に提供すべき情報の格納場所を示すアドレス情報を格納するアドレス情報格納手段と、
前記着信端末装置に提供するアドレス情報を、前記アドレス情報格納手段に格納されているアドレス情報の中から選定するアドレス情報選定手段と、
前記発信端末装置から出力される接続要求信号を受信し、前記着信端末装置に提供するアドレス情報を、前記アドレス情報選定手段を利用することにより取得して前記着信端末装置に出力した後、必要に応じて前記発信端末装置と前記着信端末装置との間の呼接続処理を続行して呼接続を行う呼接続制御手段とを備えることを特徴とする通信システム。
【請求項２】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置と前記着信端末装置とに提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて、前記情報格納手段に格納されている情報の少なくとも一部を取得し、
前記着信端末装置は、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報と、前記発信端末装置から出力される接続要求信号によって特定される着信端末装置に提供すべき情報の格納場所を示すアドレス情報とを格納するアドレス情報格納手段と、
前記発信端末装置に提供するアドレス情報と、前記着信端末装置に提供するアドレス情報とを、前記アドレス情報格納手段に格納されているアドレス情報の中からそれぞれ選定するアドレス情報選定手段と、
前記発信端末装置から出力される接続要求信号を受信し、前記発信端末装置に提供するアドレス情報と、前記着信端末装置に提供するアドレス情報とを、前記アドレス情報選定手段を利用することにより取得して、前記発信端末装置と前記着信端末装置とに出力した後、必要に応じて前記発信端末装置と前記着信端末装置との間の呼接続処理を続行して呼接続を行う呼接続制御手段とを備えることを特徴とする通信システム。
【請求項３】
前記アドレス情報選定手段は、前記発信端末装置の位置情報に基づいて前記アドレス情報を選定することを特徴とする請求項１または請求項２に記載の通信システム。
【請求項４】
前記アドレス情報選定手段は、前記着信端末装置の位置情報に基づいて前記アドレス情報を選定することを特徴とする請求項１または請求項２に記載の通信システム。
【請求項５】
前記アドレス情報選定手段は、前記発信端末装置の位置情報と前記着信端末装置の位置情報とに基づいて、前記アドレス情報を選定することを特徴とする請求項１または請求項２に記載の通信システム。
【請求項６】
前記発信端末装置は、前記接続要求信号を出力する前に、前記呼接続装置に対して前記発信端末装置の位置情報を出力し、
前記呼接続装置は、前記発信端末装置から出力される位置情報を格納する位置情報格納手段を備え、
前記アドレス情報選定手段は、前記位置情報格納手段に格納されている前記発信端末装置の位置情報に基づいて前記アドレス情報を選定することを特徴とする請求項３に記載の通信システム。
【請求項７】
前記着信端末装置は、前記発信端末装置から前記接続要求信号が出力される前に前記呼接続装置に対して前記着信端末装置の位置情報を出力し、
前記呼接続装置は、前記着信端末装置から出力される位置情報を格納する位置情報格納手段を備え、
前記アドレス情報選定手段は、前記位置情報格納手段に格納されている前記着信端末装置の位置情報に基づいて前記アドレス情報を選定することを特徴とする請求項４に記載の通信システム。
【請求項８】
前記発信端末装置は、前記接続要求信号を出力する前に前記呼接続装置に対して前記発信端末装置の位置情報を出力し、
前記着信端末装置は、前記発信端末装置から前記接続要求信号が出力される前に前記呼接続装置に対して前記着信端末装置の位置情報を出力し、
前記呼接続装置は、前記発信端末装置から出力される位置情報と前記着信端末装置から出力される位置情報とを格納する位置情報格納手段を備え、
前記アドレス情報選定手段は、前記位置情報格納手段に格納されている前記発信端末装置の位置情報と前記着信端末装置の位置情報とに基づいて、前記アドレス情報を選定することを特徴とする請求項５に記載の通信システム。
【請求項９】
前記発信端末装置から出力される前記接続要求信号は、Ｓｕｂｊｅｃｔ情報を含み、
前記呼接続制御手段は、前記発信端末装置から出力される前記接続要求信号中の前記Ｓｕｂｊｅｃｔ情報を前記アドレス情報選定手段に通知するとともに、前記アドレス情報選定手段から前記アドレス情報を取得し、
前記アドレス情報選定手段は、前記呼接続制御手段から通知された前記Ｓｕｂｊｅｃｔ情報に基づいて前記アドレス情報を選定することを特徴とする請求項１または請求項２に記載の通信システム。
【請求項１０】
前記発信端末装置から出力される前記接続要求信号は、発信者の識別情報、あるいは発信端末装置の識別情報を含み、
前記呼接続制御手段は、前記発信端末装置から出力される前記接続要求信号中の前記発信者の識別情報、あるいは発信端末装置の識別情報を前記アドレス情報選定手段に通知するとともに、前記アドレス情報選定手段から前記アドレス情報を取得し、
前記アドレス情報選定手段は、前記呼接続制御手段から通知された前記発信者の識別情報、あるいは発信端末装置の識別情報に基づいて前記アドレス情報を選定することを特徴とする請求項１または請求項２に記載の通信システム。
【請求項１１】
前記発信端末装置から出力される前記接続要求信号は、着信者の識別情報、あるいは着信端末装置の識別情報を含み、
前記呼接続制御手段は、前記発信端末装置から出力される前記接続要求信号中の前記着信者の識別情報あるいは着信端末装置の識別情報を、前記アドレス情報選定手段に通知するとともに、前記アドレス情報選定手段から前記アドレス情報を取得し、
前記アドレス情報選定手段は、前記呼接続制御手段から通知された前記着信者の識別情報、あるいは着信端末装置の識別情報に基づいて前記アドレス情報を選定することを特徴とする請求項１または請求項２に記載の通信システム。
【請求項１２】
前記発信端末装置から出力される前記接続要求信号は、発信者の識別情報あるいは発信端末装置の識別情報と、着信者の識別情報あるいは着信端末装置の識別情報とを含み、
前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報を取得し、
前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報を選定することを特徴とする請求項１または請求項２に記載の通信システム。
【請求項１３】
前記発信端末装置から出力される前記接続要求信号は、発信者の識別情報あるいは発信端末装置の識別情報と、着信者の識別情報あるいは着信端末装置の識別情報とを含み、
前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報と、前記アドレス情報に対応するパスワード情報を取得して前記着信端末装置に出力し、
前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報格納手段に格納されているアドレス情報の中から前記アドレス情報を取得するとともに、前記呼接続制御手段から通知された前記発信者の識別情報あるいは発信端末装置の識別情報と、前記着信者の識別情報あるいは着信端末装置の識別情報との少なくとも一方に基づき前記アドレス情報に対応するパスワード情報を生成し、
前記着信端末装置は、前記呼接続装置から出力されるアドレス情報および前記パスワード情報を前記情報格納装置に対して出力した後、前記情報格納装置から前記着信端末装置に対する情報が出力された場合に前記情報を取得し、
前記情報格納装置は、前記発信者の識別情報あるいは発信端末装置の識別情報と、前記着信者の識別情報あるいは着信端末装置の識別情報との少なくとも一方に基づいて生成されるパスワードを、予め前記着信端末装置に提供すべき情報に対応付けて格納しておき、前記着信端末装置から出力されるパスワード情報に対し、前記情報に予め付加されたパスワードを用いて認証を行い、認証の結果がＯＫであった場合には、該情報格納装置に格納されている情報のうち前記着信端末装置から出力されたアドレス情報によって示される情報を前記着信端末装置に対して出力し、認証の結果がＮＧであった場合には、前記アドレス情報によって示される情報を前記着信端末装置に対して出力しないことを特徴とする請求項１または請求項２に記載の通信システム。
【請求項１４】
前記発信端末装置から出力される前記接続要求信号は、発信者の識別情報あるいは発信端末装置の識別情報と、着信者の識別情報あるいは着信端末装置の識別情報とを含み、
前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報と、前記アドレス情報に対応するパスワード情報を取得して前記着信端末装置に出力し、
前記アドレス情報格納手段は、前記アドレス情報を格納するとともに、前記発信者の識別情報あるいは発信端末装置の識別情報と、前記着信者の識別情報あるいは着信端末装置の識別情報との少なくとも一方に基づいて生成したパスワード情報を、前記アドレス情報に対応付けて格納し、
前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報格納手段に格納されているアドレス情報の中から前記アドレス情報と、前記アドレス情報に対応するパスワード情報とを取得し、
前記着信端末装置は、前記呼接続装置から出力されるアドレス情報および前記パスワード情報を前記情報格納装置に対して出力した後、前記情報格納装置から前記着信端末装置に対する情報が出力された場合に前記情報を取得し、
前記情報格納装置は、前記発信者の識別情報あるいは発信端末装置の識別情報と、前記着信者の識別情報あるいは着信端末装置の識別情報との少なくとも一方に基づいて生成されるパスワードを、予め前記着信端末装置に提供すべき情報に対応付けて格納しておき、前記着信端末装置から出力されるパスワード情報に対し、前記情報に予め付加されたパスワードを用いて認証を行い、認証の結果がＯＫであった場合には、該情報格納装置に格納されている情報のうち前記着信端末装置から出力されたアドレス情報によって示される情報を前記着信端末装置に対して出力し、認証の結果がＮＧであった場合には、前記アドレス情報によって示される情報を前記着信端末装置に対して出力しないことを特徴とする請求項１または請求項２に記載の通信システム。
【請求項１５】
前記アドレス情報選定手段は、前記呼接続装置が前記発信端末装置から出力される前記接続要求信号を受信した時刻に基づいて前記アドレス情報を選定することを特徴とする請求項１または請求項２に記載の通信システム。
【請求項１６】
前記アドレス情報の登録要求を受け取り、前記登録要求に基づき、前記アドレス情報格納手段に対してアドレス情報を格納するよう通知するアドレス情報登録手段を備え、
前記発信端末装置は、前記接続要求信号の出力に先立って前記アドレス情報登録手段に対してアドレス情報の登録要求を行い、
前記アドレス情報格納手段は、前記アドレス情報登録手段から通知された前記アドレス情報を格納し、
前記アドレス情報選定手段は、前記アドレス情報格納手段に格納されているアドレス情報のうち、前記発信端末装置が前記アドレス情報登録手段に対して登録要求を行った前記アドレス情報を選定することを特徴とする請求項１０または請求項１２に記載の通信システム。
【請求項１７】
前記アドレス情報の登録要求を受け取り、前記登録要求に基づき、前記アドレス情報格納手段に対してアドレス情報を格納するよう通知するアドレス情報登録手段を備え、
前記着信端末装置は、前記発信端末装置による前記接続要求信号の出力に先立って前記アドレス情報登録手段に対してアドレス情報の登録要求を行い、
前記アドレス情報格納手段は、前記アドレス情報登録手段から通知された前記アドレス情報を格納し、
前記アドレス情報選定手段は、前記アドレス情報格納手段に格納されているアドレス情報のうち前記着信端末装置が前記アドレス情報登録手段に対して登録要求を行った前記アドレス情報を選定することを特徴とする請求項１１または請求項１２に記載の通信システム。
【請求項１８】
前記アドレス情報の登録要求を受け取り、前記登録要求に基づき、前記アドレス情報格納手段に対してアドレス情報を格納するよう通知するアドレス情報登録手段を備え、
前記発信端末装置による前記接続要求信号の出力に先立って、前記発信端末装置および前記着信端末装置以外の第三者の端末装置から前記アドレス情報登録手段に対してアドレス情報の登録要求を行い、
前記アドレス情報格納手段は、前記アドレス情報登録手段から通知された前記アドレス情報を格納することを特徴とする請求項１または請求項２に記載の通信システム。
【請求項１９】
前記呼接続装置の管理および運用を通信事業者が行い、
前記第三者が前記通信事業者であることを特徴とする請求項１８に記載の通信システム。
【請求項２０】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置に提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報を格納するアドレス情報格納手段と、
前記発信端末装置に提供するアドレス情報を、前記アドレス情報格納手段に格納されているアドレス情報の中から選定するアドレス情報選定手段と、
前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備え、
前記アドレス情報選定手段は、前記着信端末装置の位置情報に基づいて前記アドレス情報を選定することを特徴とする通信システム。
【請求項２１】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置に提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報を格納するアドレス情報格納手段と、
前記発信端末装置に提供するアドレス情報を、前記アドレス情報格納手段に格納されているアドレス情報の中から選定するアドレス情報選定手段と、
前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備え、
前記アドレス情報選定手段は、前記発信端末装置の位置情報と前記着信端末装置の位置情報とに基づいて、前記アドレス情報を選定することを特徴とする通信システム。
【請求項２２】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置に提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報を格納するアドレス情報格納手段と、
前記発信端末装置に提供するアドレス情報を、前記アドレス情報格納手段に格納されているアドレス情報の中から選定するアドレス情報選定手段と、
前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備え、
前記発信端末装置から出力される前記接続要求信号は、Ｓｕｂｊｅｃｔ情報を含み、
前記呼接続制御手段は、前記発信端末装置から出力される前記接続要求信号中の前記Ｓｕｂｊｅｃｔ情報を前記アドレス情報選定手段に通知するとともに、前記アドレス情報選定手段から前記アドレス情報を取得し、
前記アドレス情報選定手段は、前記呼接続制御手段から通知された前記Ｓｕｂｊｅｃｔ情報に基づいて前記アドレス情報を選定することを特徴とする通信システム。
【請求項２３】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置に提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報を格納するアドレス情報格納手段と、
前記発信端末装置に提供するアドレス情報を、前記アドレス情報格納手段に格納されているアドレス情報の中から選定するアドレス情報選定手段と、
前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備え、
前記発信端末装置から出力される前記接続要求信号は、着信者の識別情報、あるいは着信端末装置の識別情報を含み、
前記呼接続制御手段は、前記発信端末装置から出力される前記接続要求信号中の前記着信者の識別情報あるいは着信端末装置の識別情報を、前記アドレス情報選定手段に通知するとともに、前記アドレス情報選定手段から前記アドレス情報を取得し、
前記アドレス情報選定手段は、前記呼接続制御手段から通知された前記着信者の識別情報、あるいは着信端末装置の識別情報に基づいて前記アドレス情報を選定することを特徴とする通信システム。
【請求項２４】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置に提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報を格納するアドレス情報格納手段と、
前記発信端末装置に提供するアドレス情報を、前記アドレス情報格納手段に格納されているアドレス情報の中から選定するアドレス情報選定手段と、
前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備え、
前記発信端末装置から出力される前記接続要求信号は、発信者の識別情報あるいは発信端末装置の識別情報と、着信者の識別情報あるいは着信端末装置の識別情報とを含み、
前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報を取得し、
前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報を選定することを特徴とする通信システム。
【請求項２５】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置に提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報を格納するアドレス情報格納手段と、
前記発信端末装置に提供するアドレス情報を、前記アドレス情報格納手段に格納されているアドレス情報の中から選定するアドレス情報選定手段と、
前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備え、
前記アドレス情報選定手段は、前記呼接続装置が前記発信端末装置から出力される前記接続要求信号を受信した時刻に基づいて前記アドレス情報を選定することを特徴とする通信システム。
【請求項２６】
請求項１ないし請求項２５のいずれか１項に記載の通信システムを利用する情報提供方法であって、
情報提供者あるいは情報提供者に委託された代理業者が、前記情報格納装置に情報を登録するとともに、前記情報の格納場所を示すアドレス情報を通信事業者に通知し、
前記発信者と前記着信者との間の呼接続を行う通信事業者が、前記呼接続の処理中に前記発信者と前記着信者の少なくとも一方に対して、前記情報格納装置に登録されている情報の格納場所を示す前記アドレス情報を通知し、
前記発信者と前記着信者の少なくとも一方が、前記情報格納装置に格納されている情報のうち前記アドレス情報により示される情報を閲覧し、
前記通信事業者が前記情報提供者に対して情報提供料を支払うことを特徴とする情報提供方法。
【請求項２７】
前記情報格納装置に登録されている情報を提供された前記発信者と前記着信者の少なくとも一方が、前記通信事業者に対して情報料を支払うことを特徴とする請求項２６に記載の情報提供方法。
【請求項２８】
請求項１ないし請求項２５のいずれか１項に記載の通信システムを利用する広告提供方法であって、
広告事業等の事業者あるいはその代理業者が、前記情報格納装置に広告情報を登録するとともに、前記広告情報の格納場所を示す広告アドレス情報を通信事業者に通知し、
前記発信者と前記着信者との間の呼接続を行う通信事業者が、前記呼接続の処理中に前記発信者と前記着信者の少なくとも一方に対して、前記情報格納装置に登録されている広告情報の格納場所を示す前記広告アドレス情報を通知し、
前記発信者と前記着信者の少なくとも一方が、前記情報格納装置に格納されている広告情報のうち前記広告アドレス情報により示される広告情報を閲覧し、
前記広告事業等の事業者あるいはその代理業者が、前記通信事業者に対して広告提供料を支払うことを特徴とする広告提供方法。
【請求項２９】
前記通信事業者が、前記情報格納装置に登録されている情報の提供を受けた前記発信者と前記着信者の少なくとも一方が、前記通信事業者に対して支払うべき通信料金の少なくとも一部を免除することを特徴とする請求項２８に記載の広告提供方法。
【請求項３０】
請求項１ないし請求項２５のいずれか１項に記載の通信システムを利用する情報登録方法であって、
前記発信者あるいは前記着信者が、前記情報格納装置に情報を登録するとともに、前記情報の格納場所を示すアドレス情報を通信事業者に通知し、
前記発信者と前記着信者との間の呼接続を行う通信事業者が、前記呼接続の処理中に前記発信者と前記着信者の少なくとも一方に、前記情報格納装置に登録されている情報の格納場所を示す前記アドレス情報を通知し、
前記発信者と前記着信者の少なくとも一方が、前記情報格納装置に格納されている情報のうち前記アドレス情報により示される情報を閲覧し、
前記発信者と前記着信者の少なくとも一方が、前記通信事業者に対して情報登録料を支払うことを特徴とする情報登録方法。
【請求項３１】
複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、
前記ネットワークに接続され前記発信端末装置に提供すべき情報を格納する少なくとも１つの情報格納装置を備え、
前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、
前記呼接続装置は、前記発信端末装置に提供すべき情報の格納場所を示すアドレス情報を格納するアドレス情報格納手段と、
前記発信端末装置に提供するアドレス情報を、前記アドレス情報格納手段に格納されているアドレス情報の中から選定するアドレス情報選定手段と、
前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備える通信システムを利用する情報登録方法であって、
前記発信者あるいは前記着信者が、前記情報格納装置に情報を登録するとともに、前記情報の格納場所を示すアドレス情報を通信事業者に通知し、
前記発信者と前記着信者との間の呼接続を行う通信事業者が、前記呼接続の処理中に前記発信者と前記着信者の少なくとも一方に、前記情報格納装置に登録されている情報の格納場所を示す前記アドレス情報を通知し、
前記発信者と前記着信者の少なくとも一方が、前記情報格納装置に格納されている情報のうち前記アドレス情報により示される情報を閲覧し、
前記発信者と前記着信者の少なくとも一方が、前記通信事業者に対して情報登録料を支払うことを特徴とする情報登録方法。
【請求項３２】
通信事業者が提供するネットワーク上に設置された呼接続装置を介して、顧客とサポートセンタとの間で通信を行うことにより、サポートセンタが顧客に対して顧客サポートを実施する顧客サポート実施方法において、
前記顧客が、何らかの問題が生じた時に自分の識別情報と前記サポートセンタの識別情報とを含むサポート要求情報を通信事業者に対して出力する第１ステップと、
前記通信事業者が、前記第１ステップで出力された前記サポート要求情報を受け取った後、呼接続装置を用いて、前記サポートセンタから事前に指定された少なくとも１つのＦＡＱ情報の格納場所を示すＦＡＱアドレス情報のうち前記顧客に提供すべき適切なＦＡＱ情報に対応するＦＡＱアドレス情報を選定して、前記ＦＡＱアドレス情報を顧客に対して通知する第２ステップと、
前記顧客が、前記第２ステップで通知された前記通信事業者からのＦＡＱアドレス情報により示される格納場所に格納されているＦＡＱ情報を取得して、前記ＦＡＱ情報を閲覧する第３ステップと、
前記第３ステップでの前記ＦＡＱ情報の閲覧によって、前記問題が解決した場合には、前記顧客が前記通信事業者に対して問題が解決したことを、また、前記第３ステップでの前記ＦＡＱ情報の閲覧によっても前記問題が解決しなかった場合には、前記顧客が前記通信事業者に対して問題が解決しなかったことを通知する第４のステップと、
前記通信事業者が、前記第４ステップで、前記顧客から問題が解決したことを通知された場合には、顧客とサポートセンタとの間の呼接続処理を続行せずに処理を終了し、また、前記第４ステップで、前記顧客から問題が解決しなかったことを通知された場合には、前記顧客と前記サポートセンタとの間の呼接続処理を続行して呼接続を行う第５のステップとを備えることを特徴とする顧客サポート実施方法。
【発明の詳細な説明】
【０００１】
【発明の属する技術分野】
本発明は、通信システム、顧客サポート実施方法、情報提供方法、広告提供方法および情報登録方法に係わり、特に、呼接続装置を構成要素の１つとするネットワークに接続された通信端末装置間の呼接続処理が完了する前に、発信側の通信端末装置あるいは着信側の通信端末装置に対して適当な情報を提供し、必要に応じて前記通信端末装置間の呼接続を行う技術に関する。
【０００２】
【従来の技術】
近年、企業の顧客サポート業務や宅配サービス業務等において、コンピュータと電話を連携させるシステムが実用化されている。
これらのシステムは、一般に、通信事業者が提供するサービスのうちの電話の発信者の電話番号が自動的に着信者に通知されるサービスを利用して実現される。
例えば、図２４に示すような企業の顧客サポート業務の場合には、顧客２０からの電話の受け付けを自動的に行うコールセンターシステムと呼ばれるシステムが実用化されており、顧客２０が、企業のコールセンター５０に電話すると、通信事業者３１が管理・運用する呼接続装置１０が、顧客２０からの電話とコールセンター５０との間の呼接続処理を行う。
この際、呼接続装置１０は、電話の発信者、即ち、顧客２０の電話番号情報をコールセンター５０に通知する。
呼接続処理の後、コールセンター内に設置されたコンピュータ５１は自動的に顧客２０からの電話に応答する。
【０００３】
このコンピュータ５１は、通信事業者３１から通知された顧客２０の電話番号に基づいて、コールセンター５０に設置された顧客データベース５２に格納されている顧客２０に関するデータを検索して取り出す。
その後、コンピュータは取り出した顧客に関するデータに基づいて、コールセンター内の適切な担当部署を選定し、顧客２０からの電話をその担当部署に設置された電話（５４Ａ，５４Ｂ）に繋ぐとともに、担当部署に設置された端末装置（５３Ａ，５３Ｂ）の画面に、前述した顧客データベース５２から取り出した顧客２０に関するデータを表示する。
このようなコールセンターシステムを用いることにより、コールセンター５０の担当者は、顧客２０と電話でやり取りを行う前に、事前にその顧客２０に関するデータを参照することが可能になるため、スムーズな対応を実現することが可能となる。
【０００４】
また、例えば、ピザの宅配サービス業務の場合には、ピザの注文者から電話がかかってきたとき、電話に接続されているコンピュータが、通信事業者から通知された注文者の電話番号に基づいて、宅配サービス業者内に設置されている注文者データベースに格納されている注文者の住所等の情報を端末装置の画面に表示する。
電話を受けた宅配サービス業者は、端末装置の画面に表示された注文者の住所等の情報を事前に把握して注文者からの注文を受け付けることができる。
従って、発信者である注文者に対し、注文の都度住所を聞く必要がないため、スムーズな対応を実現することができる。
【０００５】
【発明が解決しようとする課題】
前述したようなコンピュータと電話を連携させるシステムは、一般に、加入電話の発信者の電話番号が自動的に着信者に通知されるサービスを利用して実現されている。
従って、基本的には、着信者が事前に情報をデータベースに登録し、コンピュータが、このデータベースに登録されたデータを発信者の電話番号に応じて選択して着信者に提供するのが大きな特徴である。
従って、図２４に示されるように、従来のコンピュータと電話の連携システムでは、システムを制御するコンピュータや、情報を格納するデータベースを、着信者側が管理・運用する必要があるため、情報の提供を受ける着信者側の負担するコストが大きくなってしまうという問題があった。
【０００６】
また、従来のシステムでは、呼接続処理が完了する前に発信者に対して情報を提供することができないため、例えば、前述のコールセンター５０の受け付け時間外に、顧客２０がコールセンター５０に電話した場合、受け付け時間外であることを発信者に知らせるために、コールセンター５０は呼接続完了の後に発信者に対して受け付け時間外であることを通知する必要がある。
呼接続が完了した場合には、発信者あるいは着信者には通信事業者に対して通話料金を支払う義務が生じるのが一般的である。
従って、受け付け時間外であることを発信者に通知するというただ１つの目的のためだけに呼接続処理が行われ、発信者あるいは着信者は、通信事業者に対して通話料金を支払わなければならなくなるという問題があった。
また、一般に、現在の電話に代表される通信では、呼接続処理中や相手の呼出し中には、呼出音等を除いては、情報の送受が行われない。
このため、例えば、発信者は、その間無駄な時間を過ごすことになるが、実際には相手が出たことが発信者に通知されれば、その間、呼出音を常に聞いている必要はない。
【０００７】
あるいは、相手が出る前に、予め必要と想定される情報が発信者に伝えられれば、通話時間を短縮することも可能であるが、このようなことは、従来の通信では提供されない。
着信者に対しても、同様に、通話時に必要と想定される情報が、通信開始時に、画面上に表示するなどされていれば、通話時間を短縮など、効率的なコミュニケーションが可能であるが、従来の通信では、発信者番号表示を除き、実現されていない。
さらに、呼接続中や呼出中に提供される情報として、コマーシャルのようなものを提供することも考えられる。
従来、通話に先立ち、あるいは、一定時間ごとに、コマーシャルを聞くことで、割引となる電話もあったが、通話が妨げられるため、利用者に抵抗がある、提供されるコマーシャルも音声に限定されるなどの課題があった。
【０００８】
本発明は、前記従来技術の問題点を解決するためになされたものであり、本発明の目的は、発信者と着信者との間の呼接続が完了する前であっても、発信者または着信者、あるいは発信者および着信者に対して、情報を提供することが可能な通信システムを提供することにある。
また、本発明の他の目的は、前述の通信システムを用いる顧客サポート実施方法を提供することにある。
また、本発明の他の目的は、前述の通信システムを用いる情報提供方法を提供することにある。
また、本発明の他の目的は、前述の通信システムを用いる広告提供方法を提供することにある。
また、本発明の他の目的は、前述の通信システムを用いる情報登録方法を提供することにある。
本発明の前記ならびにその他の目的と新規な特徴は、本明細書の記述及び添付図面によって明らかにする。
【０００９】
【課題を解決するための手段】
本願において開示される発明のうち、代表的なものの概要を簡単に説明すれば、下記の通りである。
即ち、本発明は、複数の端末装置が呼接続装置を構成要素の１つとするネットワークに接続され、前記呼接続装置が必要に応じて前記端末装置のうちの発信端末装置と着信端末装置の間の呼接続処理を行う通信システムで、前記ネットワークに接続され前記発信端末装置に提供すべき情報を格納する少なくとも１つの情報格納装置を備え、前記発信端末装置は、前記着信端末装置との間の呼接続処理を要求する接続要求信号を、前記呼接続装置に対して出力した後、前記呼接続装置から出力されるアドレス情報に基づいて前記情報格納手段に格納されている情報の少なくとも一部を取得し、前記呼接続装置は、前記発信端末装置に提供すべき情報の格納場所を示すアドレス情報を格納するアドレス情報格納手段と、前記発信端末装置に提供するアドレス情報を、前記アドレス情報格納手段に格納されているアドレス情報の中から選定するアドレス情報選定手段と、前記発信端末装置から出力される接続要求信号を受信し、前記発信端末装置に提供するアドレス情報を、前記アドレス情報選定手段を用いて取得し前記発信端末装置に出力した後、必要に応じて前記発信端末装置と前記着信端末装置との間の呼接続処理を続行して呼接続を行う呼接続制御手段とを備える通信システムであって、前記アドレス情報選定手段は、前記着信端末装置の位置情報に基づいて前記アドレス情報を選定することを特徴とする。
また、前記アドレス情報選定手段は、前記発信端末装置の位置情報と前記着信端末装置の位置情報とに基づいて、前記アドレス情報を選定することを特徴とする。
また、前記発信端末装置から出力される前記接続要求信号は、Ｓｕｂｊｅｃｔ情報を含み、前記呼接続制御手段は、前記発信端末装置から出力される前記接続要求信号中の前記Ｓｕｂｊｅｃｔ情報を前記アドレス情報選定手段に通知するとともに、前記アドレス情報選定手段から前記アドレス情報を取得し、前記アドレス情報選定手段は、前記呼接続制御手段から通知された前記Ｓｕｂｊｅｃｔ情報に基づいて前記アドレス情報を選定することを特徴とする。
また、前記発信端末装置から出力される前記接続要求信号は、着信者の識別情報、あるいは着信端末装置の識別情報を含み、前記呼接続制御手段は、前記発信端末装置から出力される前記接続要求信号中の前記着信者の識別情報あるいは着信端末装置の識別情報を、前記アドレス情報選定手段に通知するとともに、前記アドレス情報選定手段から前記アドレス情報を取得し、前記アドレス情報選定手段は、前記呼接続制御手段から通知された前記着信者の識別情報、あるいは着信端末装置の識別情報に基づいて前記アドレス情報を選定することを特徴とする。
また、前記発信端末装置から出力される前記接続要求信号は、発信者の識別情報あるいは発信端末装置の識別情報と、着信者の識別情報あるいは着信端末装置の識別情報とを含み、前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報を取得し、前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報を選定することを特徴とする。
また、前記アドレス情報選定手段は、前記呼接続装置が前記発信端末装置から出力される前記接続要求信号を受信した時刻に基づいて前記アドレス情報を選定することを特徴とする。
【００１０】
また、本発明は、複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、前記ネットワークに接続され、前記着信端末装置に提供すべき情報を格納する少なくとも１つの情報格納装置を備え、前記着信端末装置は、前記呼接続装置から出力されるアドレス情報に基づいて前記情報格納手段に格納されている情報の少なくとも一部を取得し、前記呼接続装置は、前記発信端末装置から出力される接続要求信号によって特定される着信端末装置に提供すべき情報の格納場所を示すアドレス情報を格納するアドレス情報格納手段と、前記着信端末装置に提供するアドレス情報を、前記アドレス情報格納手段に格納されているアドレス情報の中から選定するアドレス情報選定手段と、前記発信端末装置から出力される接続要求信号を受信し、前記着信端末装置に提供するアドレス情報を、前記アドレス情報選定手段を利用することにより取得して前記着信端末装置に出力した後、必要に応じて前記発信端末装置と前記着信端末装置との間の呼接続処理を続行して呼接続を行う呼接続制御手段とを備えることを特徴とする。
【００１１】
また、本発明は、複数の端末装置が呼接続装置を構成要素の１つとするネットワークに接続され、前記呼接続装置が必要に応じて前記端末装置のうちの発信端末装置と着信端末装置の間の呼接続処理を行う通信システムであって、前記ネットワークに接続され前記発信端末装置と前記着信端末装置とに提供すべき情報を格納する少なくとも１つの情報格納装置を備え、前記発信端末装置は、前記着信端末装置との間の呼接続処理を要求する接続要求信号を、前記呼接続装置に対して出力した後、前記呼接続装置から出力されるアドレス情報に基づいて、前記情報格納手段に格納されている情報の少なくとも一部を取得し、前記着信端末装置は、前記呼接続装置から出力されるアドレス情報に基づいて前記情報格納手段に格納されている情報の少なくとも一部を取得し、前記呼接続装置は、前記発信端末装置に提供すべき情報の格納場所を示すアドレス情報と、前記発信端末装置から出力される接続要求信号によって特定される着信端末装置に提供すべき情報の格納場所を示すアドレス情報とを格納するアドレス情報格納手段と、前記発信端末装置に提供するアドレス情報と、前記着信端末装置に提供するアドレス情報とを、前記アドレス情報格納手段に格納されているアドレス情報の中からそれぞれ選定するアドレス情報選定手段と、前記発信端末装置から出力される接続要求信号を受信し、前記発信端末装置に提供するアドレス情報と、前記着信端末装置に提供するアドレス情報とを、前記アドレス情報選定手段を利用することにより取得して、前記発信端末装置と前記着信端末装置とに出力した後、必要に応じて前記発信端末装置と前記着信端末装置との間の呼接続処理を続行して呼接続を行う呼接続制御手段とを備えることを特徴とする。
【００１２】
本発明の好ましい実施の形態では、前記アドレス情報選定手段は、前記発信端末装置の位置情報に基づいて前記アドレス情報を選定することを特徴とする。
本発明の好ましい実施の形態では、前記アドレス情報選定手段は、前記着信端末装置の位置情報に基づいて前記アドレス情報を選定することを特徴とする。
本発明の好ましい実施の形態では、前記アドレス情報選定手段は、前記発信端末装置の位置情報と前記着信端末装置の位置情報とに基づいて、前記アドレス情報を選定することを特徴とする。
本発明のより好ましい実施の形態では、前記発信端末装置は、前記接続要求信号を出力する前に、前記呼接続装置に対して前記発信端末装置の位置情報を出力し、前記呼接続装置は、前記発信端末装置から出力される位置情報を格納する位置情報格納手段を備え、前記アドレス情報選定手段は、前記位置情報格納手段に格納されている前記発信端末装置の位置情報に基づいて前記アドレス情報を選定することを特徴とする。
【００１３】
本発明のより好ましい実施の形態では、前記着信端末装置は、前記発信端末装置から前記接続要求信号が出力される前に前記呼接続装置に対して前記着信端末装置の位置情報を出力し、前記呼接続装置は、前記着信端末装置から出力される位置情報を格納する位置情報格納手段を備え、前記アドレス情報選定手段は、前記位置情報格納手段に格納されている前記着信端末装置の位置情報に基づいて前記アドレス情報を選定することを特徴とする。
本発明のより好ましい実施の形態では、前記発信端末装置は、前記接続要求信号を出力する前に前記呼接続装置に対して前記発信端末装置の位置情報を出力し、前記着信端末装置は、前記発信端末装置から前記接続要求信号が出力される前に前記呼接続装置に対して前記着信端末装置の位置情報を出力し、前記呼接続装置は、前記発信端末装置から出力される位置情報と前記着信端末装置から出力される位置情報とを格納する位置情報格納手段を備え、前記アドレス情報選定手段は、前記位置情報格納手段に格納されている前記発信端末装置の位置情報と前記着信端末装置の位置情報とに基づいて、前記アドレス情報を選定することを特徴とする。
【００１４】
本発明の好ましい実施の形態では、前記発信端末装置から出力される前記接続要求信号は、Ｓｕｂｊｅｃｔ情報を含み、前記呼接続制御手段は、前記発信端末装置から出力される前記接続要求信号中の前記Ｓｕｂｊｅｃｔ情報を前記アドレス情報選定手段に通知するとともに、前記アドレス情報選定手段から前記アドレス情報を取得し、前記アドレス情報選定手段は、前記呼接続制御手段から通知された前記Ｓｕｂｊｅｃｔ情報に基づいて前記アドレス情報を選定することを特徴とする。
本発明の好ましい実施の形態では、前記発信端末装置から出力される前記接続要求信号は、発信者の識別情報、あるいは発信端末装置の識別情報を含み、前記呼接続制御手段は、前記発信端末装置から出力される前記接続要求信号中の前記発信者の識別情報、あるいは発信端末装置の識別情報を前記アドレス情報選定手段に通知するとともに、前記アドレス情報選定手段から前記アドレス情報を取得し、前記アドレス情報選定手段は、前記呼接続制御手段から通知された前記発信者の識別情報、あるいは発信端末装置の識別情報に基づいて前記アドレス情報を選定することを特徴とする。
【００１５】
本発明の好ましい実施の形態では、前記発信端末装置から出力される前記接続要求信号は、着信者の識別情報、あるいは着信端末装置の識別情報を含み、前記呼接続制御手段は、前記発信端末装置から出力される前記接続要求信号中の前記着信者の識別情報あるいは着信端末装置の識別情報を、前記アドレス情報選定手段に通知するとともに、前記アドレス情報選定手段から前記アドレス情報を取得し、前記アドレス情報選定手段は、前記呼接続制御手段から通知された前記着信者の識別情報、あるいは着信端末装置の識別情報に基づいて前記アドレス情報を選定することを特徴とする。
本発明の好ましい実施の形態では、前記発信端末装置から出力される前記接続要求信号は、発信者の識別情報あるいは発信端末装置の識別情報と、着信者の識別情報あるいは着信端末装置の識別情報とを含み、前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報を取得し、前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報を選定することを特徴とする。
【００１６】
本発明の好ましい実施の形態では、前記発信端末装置から出力される前記接続要求信号は、発信者の識別情報あるいは発信端末装置の識別情報と、着信者の識別情報あるいは着信端末装置の識別情報とを含み、前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報と、前記アドレス情報に対応するパスワード情報を取得して前記着信端末装置に出力し、前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報格納手段に格納されているアドレス情報の中から前記アドレス情報を取得するとともに、前記呼接続制御手段から通知された前記発信者の識別情報あるいは発信端末装置の識別情報と、前記着信者の識別情報あるいは着信端末装置の識別情報との少なくとも一方に基づき前記アドレス情報に対応するパスワード情報を生成し、前記着信端末装置は、前記呼接続装置から出力されるアドレス情報および前記パスワード情報を前記情報格納装置に対して出力した後、前記情報格納装置から前記着信端末装置に対する情報が出力された場合に前記情報を取得し、前記情報格納装置は、前記発信者の識別情報あるいは発信端末装置の識別情報と、前記着信者の識別情報あるいは着信端末装置の識別情報との少なくとも一方に基づいて生成されるパスワードを、予め前記着信端末装置に提供すべき情報に対応付けて格納しておき、前記着信端末装置から出力されるパスワード情報に対し、前記情報に予め付加されたパスワードを用いて認証を行い、認証の結果がＯＫであった場合には、該情報格納装置に格納されている情報のうち前記着信端末装置から出力されたアドレス情報によって示される情報を前記着信端末装置に対して出力し、認証の結果がＮＧであった場合には、前記アドレス情報によって示される情報を前記着信端末装置に対して出力しないことを特徴とする。
【００１７】
本発明の好ましい実施の形態では、前記発信端末装置から出力される前記接続要求信号は、発信者の識別情報あるいは発信端末装置の識別情報と、着信者の識別情報あるいは着信端末装置の識別情報とを含み、前記呼接続制御手段は、前記発信端末装置から出力される前記接続要求信号中の前記発信者の識別情報あるいは発信端末装置の識別情報と、前記着信者の識別情報あるいは着信端末装置の識別情報とを前記アドレス情報選定手段に通知するとともに、前記アドレス情報選定手段から前記アドレス情報と、前記アドレス情報に対応するパスワード情報を取得して前記着信端末装置に出力し、前記アドレス情報格納手段は、前記アドレス情報を格納するとともに、前記発信者の識別情報あるいは発信端末装置の識別情報と、前記着信者の識別情報あるいは着信端末装置の識別情報との少なくとも一方に基づいて生成したパスワード情報を、前記アドレス情報に対応付けて格納し、前記アドレス情報選定手段は、前記呼接続制御手段から通知された前記発信者の識別情報あるいは発信端末装置の識別情報と、前記着信者の識別情報あるいは着信端末装置の識別情報との少なくとも一方に基づいて、前記アドレス情報格納手段に格納されているアドレス情報の中から前記アドレス情報と、前記アドレス情報に対応するパスワード情報とを取得し、前記着信端末装置は、前記呼接続装置から出力されるアドレス情報および前記パスワード情報を前記情報格納装置に対して出力した後、前記情報格納装置から前記着信端末装置に対する情報が出力された場合に前記情報を取得し、前記情報格納装置は、前記発信者の識別情報あるいは発信端末装置の識別情報と、前記着信者の識別情報あるいは着信端末装置の識別情報との少なくとも一方に基づいて生成されるパスワードを、予め前記着信端末装置に提供すべき情報に対応付けて格納しておき、前記着信端末装置から出力されるパスワード情報に対し、前記情報に予め付加されたパスワードを用いて認証を行い、認証の結果がＯＫであった場合には、該情報格納装置に格納されている情報のうち前記着信端末装置から出力されたアドレス情報によって示される情報を前記着信端末装置に対して出力し、認証の結果がＮＧであった場合には、前記アドレス情報によって示される情報を前記着信端末装置に対して出力しないことを特徴とする。
【００１８】
本発明の好ましい実施の形態では、前記アドレス情報選定手段は、前記呼接続装置が前記発信端末装置から出力される前記接続要求信号を受信した時刻に基づいて前記アドレス情報を選定することを特徴とする。
本発明のより好ましい実施の形態では、前記アドレス情報の登録要求を受け取り、前記登録要求に基づき、前記アドレス情報格納手段に対してアドレス情報を格納するよう通知するアドレス情報登録手段を備え、前記発信端末装置は、前記接続要求信号の出力に先立って前記アドレス情報登録手段に対してアドレス情報の登録要求を行い、前記アドレス情報格納手段は、前記アドレス情報登録手段から通知された前記アドレス情報を格納し、前記アドレス情報選定手段は、前記アドレス情報格納手段に格納されているアドレス情報のうち、前記発信端末装置が前記アドレス情報登録手段に対して登録要求を行った前記アドレス情報を選定することを特徴とする。
本発明のより好ましい実施の形態では、前記アドレス情報の登録要求を受け取り、前記登録要求に基づき、前記アドレス情報格納手段に対してアドレス情報を格納するよう通知するアドレス情報登録手段を備え、前記着信端末装置は、前記発信端末装置による前記接続要求信号の出力に先立って前記アドレス情報登録手段に対してアドレス情報の登録要求を行い、前記アドレス情報格納手段は、前記アドレス情報登録手段から通知された前記アドレス情報を格納し、前記アドレス情報選定手段は、前記アドレス情報格納手段に格納されているアドレス情報のうち前記着信端末装置が前記アドレス情報登録手段に対して登録要求を行った前記アドレス情報を選定することを特徴とする。
【００１９】
本発明の好ましい実施の形態では、前記アドレス情報の登録要求を受け取り、前記登録要求に基づき、前記アドレス情報格納手段に対してアドレス情報を格納するよう通知するアドレス情報登録手段を備え、前記発信端末装置による前記接続要求信号の出力に先立って、前記発信端末装置および前記着信端末装置以外の第三者の端末装置から前記アドレス情報登録手段に対してアドレス情報の登録要求を行い、前記アドレス情報格納手段は、前記アドレス情報登録手段から通知された前記アドレス情報を格納することを特徴とする。
本発明の好ましい実施の形態では、前記呼接続装置の管理および運用を通信事業者が行い、前記第三者が前記通信事業者であることを特徴とする。
【００２０】
また、本発明は、前述の通信システムを利用する情報提供方法であって、情報提供者あるいは情報提供者に委託された代理業者が、前記情報格納装置に情報を登録するとともに、前記情報の格納場所を示すアドレス情報を通信事業者に通知し、前記発信者と前記着信者との間の呼接続を行う通信事業者が、前記呼接続の処理中に前記発信者と前記着信者の少なくとも一方に対して、前記情報格納装置に登録されている情報の格納場所を示す前記アドレス情報を通知し、前記発信者と前記着信者の少なくとも一方が、前記情報格納装置に格納されている情報のうち前記アドレス情報により示される情報を閲覧し、前記通信事業者が前記情報提供者に対して情報提供料を支払うことを特徴とする。
本発明の好ましい実施の形態では、前記情報格納装置に登録されている情報を提供された前記発信者と前記着信者の少なくとも一方が、前記通信事業者に対して情報料を支払うことを特徴とする。
【００２１】
また、本発明は、前述の通信システムを利用する広告提供方法であって、広告事業等の事業者あるいはその代理業者が、前記情報格納装置に広告情報を登録するとともに、前記広告情報の格納場所を示す広告アドレス情報を通信事業者に通知し、前記発信者と前記着信者との間の呼接続を行う通信事業者が、前記呼接続の処理中に前記発信者と前記着信者の少なくとも一方に対して、前記情報格納装置に登録されている広告情報の格納場所を示す前記広告アドレス情報を通知し、前記発信者と前記着信者の少なくとも一方が、前記情報格納装置に格納されている広告情報のうち前記広告アドレス情報により示される広告情報を閲覧し、前記広告事業等の事業者あるいはその代理業者が、前記通信事業者に対して広告提供料を支払うことを特徴とする。
本発明の好ましい実施の形態では、前記通信事業者が、前記情報格納装置に登録されている情報の提供を受けた前記発信者と前記着信者の少なくとも一方が、前記通信事業者に対して支払うべき通信料金の少なくとも一部を免除することを特徴とする。
【００２２】
また、本発明は、前述の通信システムを利用する情報登録方法であって、前記発信者あるいは前記着信者が、前記情報格納装置に情報を登録するとともに、前記情報の格納場所を示すアドレス情報を通信事業者に通知し、前記発信者と前記着信者との間の呼接続を行う通信事業者が、前記呼接続の処理中に前記発信者と前記着信者の少なくとも一方に、前記情報格納装置に登録されている情報の格納場所を示す前記アドレス情報を通知し、前記発信者と前記着信者の少なくとも一方が、前記情報格納装置に格納されている情報のうち前記アドレス情報により示される情報を閲覧し、前記発信者と前記着信者の少なくとも一方が、前記通信事業者に対して情報登録料を支払うことを特徴とする。
【００２４】
また、本発明は、通信事業者が提供するネットワーク上に設置された呼接続装置を介して、顧客とサポートセンタとの間で通信を行うことによリ、サポートセンタが顧客に対して顧客サポートを実施する顧客サポート実施方法において、前記顧客が、何らかの問題が生じた時に自分の識別情報と前記サポートセンタの識別情報とを含むサポート要求情報を通信事業者に対して出力する第１ステップと、前記通信事業者が、前記第１ステップで出力された前記サポート要求情報を受け取った後、呼接続装置を用いて、前記サポートセンタから事前に指定された少なくとも１つのＦＡＱ情報の格納場所を示すＦＡＱアドレス情報のうち前記顧客に提供すべき適切なＦＡＱ情報に対応するＦＡＱアドレス情報を選定して、前記ＦＡＱアドレス情報を顧客に対して通知する第２ステップと、前記顧客が、前記第２ステップで通知された前記通信事業者からのＦＡＱアドレス情報により示される格納場所に格納されているＦＡＱ情報を取得して、前記ＦＡＱ情報を閲覧する第３ステップと、前記第３ステップでの前記ＦＡＱ情報の閲覧によって、前記問題が解決した場合には、前記顧客が前記通信事業者に対して問題が解決したことを、また、前記第３ステップでの前記ＦＡＱ情報の閲覧によっても前記問題が解決しなかった場合には、前記顧客が前記通信事業者に対して問題が解決しなかったことを通知する第４のステップと、前記通信事業者が、前記第４ステップで、前記顧客から問題が解決したことを通知された場合には、顧客とサポートセンタとの間の呼接続処理を続行せずに処理を終了し、また、前記第４ステップで、前記顧客から問題が解決しなかったことを通知された場合には、前記顧客と前記サポートセンタとの間の呼接続処理を続行して呼接続を行う第５のステップとを備えることを特徴とする。
【００２５】
本発明によれば、呼接続が完了する前であっても、発信者または着信者、あるいは発信者および着信者に対して情報を提供することが可能となる。
これにより、例えば、前述したようにコールセンターの受け付け時間外に発信者がコールセンターに電話した場合であっても、発信者あるいは着信者は通話料金を通信事業者に支払うこと無く発信者は受け付け時間外であることを知ることが可能となる。
また、着信者のみならず発信者あるいは第三者が、発信者あるいは着信者に対して情報を提供することも可能となるため、より柔軟に高品質なサービスを提供することが可能となる。
これにより、例えば、第三者が発信者に対して企業の広告を見せることによって当該企業から広告収入を得るというような事業を行うことが可能となる。
さらに、従来のように情報を格納するための装置を着信側に設置する必要がないため、着信側のコスト負担を低減することが可能である。
さらにまた、提供する情報を選定する際に、従来のような発信者の電話番号情報のみならず、着信側の識別情報、発信者あるいは着信者の位置情報、発信者から出力されるＳｕｂｊｅｃｔ情報あるいは呼接続が行われる時刻情報等に基づいて情報を選定することができるため、さまざまな状況に応じて情報を選択するような高品質なサービスを提供することが可能となる。
【００２６】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
［実施の形態１］
図１は、本発明の実施の形態１の通信システムの概略構成を示すブロック図である。なお、本構成例は請求項２０〜２５、３２の発明の前提となる発明である。
図１に示す通信システムは、複数の端末装置が呼接続装置１０を構成要素の１つとするネットワークに接続され、前記呼接続装置１０が必要に応じて前記端末装置のうちの発信端末装置（以下、単に、発信端末と称する。）１１と着信端末装置（以下、単に、着信端末と称する。）１６の間の呼接続処理を行う通信システムである。
図１に示すように、呼接続装置１０には、呼接続制御サーバ１２、Ｗｅｂ−ＵＲＬ選定サーバ１３、およびＷｅｂ−ＵＲＬデータベース１４が設けられる。
また、前述したネットワークに接続されるＷｅｂコンテンツサーバ１５には、発信端末１１に提供すべきＷｅｂコンテンツが格納されているものとする。
さらに、Ｗｅｂ−ＵＲＬデータベース１４には、前述のＷｅｂコンテンツサーバ１５に格納されているＷｅｂコンテンツを一意に特定するために必要となるＷｅｂ−ＵＲＬ情報が格納されているものとする。
【００２７】
以下、本実施の形態の通信システムの呼接続処理について説明する。
まず、発信端末１１は、着信端末１６との間の呼接続処理を呼接続制御サーバ１２に依頼するために、必要となる接続要求信号を呼接続制御サーバ１２に対して出力する（図１の１）。
この接続要求信号には、発信端末１１を特定するために必要な発信者の識別情報、あるいは発信端末１１の識別情報と、着信端末１６を特定するために必要な着信者の識別情報、あるいは着信端末１６の識別情報とが含まれる。
この接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５に格納されている少なくとも１つのＷｅｂコンテンツのうち、発信端末１１に提供すべきＷｅｂコンテンツを特定するためのＷｅｂ−ＵＲＬ情報を取得するために、Ｗｅｂ−ＵＲＬ情報要求信号をＷｅｂ−ＵＲＬ選定サーバ１３に対して出力する（図１の２）。
【００２８】
このＷｅｂ−ＵＲＬ情報要求信号を受け取ったＷｅｂ−ＵＲＬ選定サーバ１３は、前述のＷｅｂ−ＵＲＬデータベース１４を参照し（図１の３）、予め定めた特定の選定条件に従って、前述の発信端末１１に提供すべきＷｅｂコンテンツのＷｅｂ−ＵＲＬ情報を選定し（図１の４）、選定されたＷｅｂ−ＵＲＬ情報を呼接続制御サーバ１２に出力する（図１の５）。
例えば、発信者が予め通信事業者に対して性別、年齢等のプロファイル情報を登録しているような場合には、これらのプロファイル情報を利用して、発信者に提供すべきＷｅｂコンテンツのＷｅｂ−ＵＲＬ情報を選定すること等も可能である。
呼接続制御サーバ１２は、前述した接続要求信号を出力した発信端末１１に対して、受け取ったＷｅｂ−ＵＲＬ情報を出力する（図１の６）。
【００２９】
発信端末１１は、Ｗｅｂコンテンツサーバ１５が格納しているＷｅｂコンテンツのうち、受け取ったＷｅｂ−ＵＲＬ情報にて示されるＷｅｂコンテンツをＷｅｂコンテンツサーバ１５から取得する（図１の７、８）。
その後、発信端末１１はＷｅｂブラウザを起動し、取得したＷｅｂコンテンツの表示等を行う。
一方、呼接続制御サーバ１２は、必要に応じて、前述の接続要求信号に含まれる発信者の識別情報、あるいは発信端末１１の識別情報によって特定される発信端末１１と、着信者の識別情報、あるいは着信端末１６の識別情報によって特定される着信端末１６との間の呼接続処理を続行して呼接続を行う（図１の９）。
前述したような処理を行うことにより、発信端末１１と着信端末１６との間の呼が確立される前に、予め定めた特定の選定条件に従って選定されたＷｅｂコンテンツを発信端末１１が取得することができる。
【００３０】
［実施の形態２］
図２は、本発明の実施の形態２の通信システムの概略構成を示すブロック図である。なお、本構成例は請求項１の発明に対応する。
図２において、前述したネットワークに接続されるＷｅｂコンテンツサーバ１５には、着信端末１６に提供すべきＷｅｂコンテンツが格納されているものとする。
また、Ｗｅｂ−ＵＲＬデータベース１４には、前述したＷｅｂコンテンツサーバ１５に格納されているＷｅｂコンテンツを一意に特定するために必要となるＷｅｂ−ＵＲＬ情報が格納されているものとする。
以下、本実施の形態の通信システムの呼接続処理について説明する。
まず、発信端末１１は、着信端末１６との間の呼接続処理を呼接続制御サーバ１２に依頼するために必要となる接続要求信号を呼接続制御サーバ１２に対して出力する（図２の１）。
この接続要求信号には、発信端末１１を特定するために必要な発信者の識別情報、あるいは発信端末１１の識別情報と、着信端末１６を特定するために必要な着信者の識別情報、あるいは着信端末１６の識別情報とが含まれる。
【００３１】
この接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、着信端末１６に提供すべきＷｅｂコンテンツを特定するためのＷｅｂ−ＵＲＬ情報を取得するために、Ｗｅｂ−ＵＲＬ情報要求信号をＷｅｂ−ＵＲＬ選定サーバ１３に対して出力する（図２の２）。
このＷｅｂ−ＵＲＬ情報要求信号を受け取ったＷｅｂ−ＵＲＬ選定サーバ１３は、前述のＷｅｂ−ＵＲＬデータベース１４を参照し（図２の３）、予め定めた特定の選定条件に従って前述の着信端末１６に提供すべきＷｅｂコンテンツのＷｅｂ−ＵＲＬ情報を選定し（図２の４）、選定されたＷｅｂ−ＵＲＬ情報を呼接続制御サーバ１２に出力する（図２の５）。
例えば、着信者が予め通信事業者に対して性別、年齢等のプロファイル情報を登録しているような場合には、これらのプロファイル情報を利用して、着信者に提供すべきＷｅｂコンテンツのＷｅｂ−ＵＲＬ情報を選定すること等も可能である。
【００３２】
呼接続制御サーバ１２は、前述した接続要求信号に含まれる着信者の識別情報、あるいは着信端末１６の識別情報によって特定される着信端末１６に対して、受け取ったＷｅｂ−ＵＲＬ情報を出力する（図２の６）。
この着信端末１６は、Ｗｅｂコンテンツサーバ１５が格納しているＷｅｂコンテンツのうち、受け取ったＷｅｂ−ＵＲＬ情報にて示されるＷｅｂコンテンツをＷｅｂコンテンツサーバ１５から取得する（図２の７、８）。
その後、着信端末１６はＷｅｂブラウザを起動し、取得したＷｅｂコンテンツの表示等を行う。
一方、呼接続制御サーバ１２は、必要に応じて、前述の接続要求信号に含まれる発信者の識別情報、あるいは発信端末１１の識別情報によって特定される発信端末１１と、着信者の識別情報、あるいは着信端末１６の識別情報によって特定される着信端末１６との間の呼接続処理を続行して呼接続を行う（図２の９）。
前述したような処理を行うことにより、発信端末１１と着信端末１６との間の呼が確立される前に、予め定めた特定の選定条件に従って選定されたＷｅｂコンテンツを着信端末１６が取得することができる。
【００３３】
［実施の形態３］
図３は、本発明の実施の形態３の通信システムの概略構成を示すブロック図である。なお、本構成例は請求項２の発明に対応する。
図３において、前述したネットワークに接続されるＷｅｂコンテンツサーバ１５Ａには、発信端末１１に提供すべきＷｅｂコンテンツが、また、前述したネットワークに接続されるＷｅｂコンテンツサーバ１５Ｂには、着信端末１６に提供すべきＷｅｂコンテンツが格納されているものとする。
また、Ｗｅｂ−ＵＲＬデータベース１４には、前述のＷｅｂコンテンツサーバ１５に格納されているＷｅｂコンテンツを一意に特定するために必要となるＷｅｂ−ＵＲＬ情報が格納されているものとする。
以下、本実施の形態の通信システムの呼接続処理について説明する。
まず、発信端末１１は、着信端末１６との間の呼接続処理を呼接続制御サーバ１２に依頼するために必要となる接続要求信号を呼接続制御サーバ１２に対して出力する（図３の１）。
この接続要求信号には、発信端末１１を特定するために必要な発信者の識別情報、あるいは発信端末１１の識別情報と、着信端末１６を特定するために必要な着信者の識別情報、あるいは着信端末１６の識別情報）とが含まれる。
【００３４】
この接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、発信端末１１に提供すべきＷｅｂコンテンツを特定するためのＷｅｂ−ＵＲＬ情報と、着信端末１６に提供すべきＷｅｂコンテンツを特定するためのＷｅｂ−ＵＲＬ情報とを取得するために、Ｗｅｂ−ＵＲＬ情報要求信号をＷｅｂ−ＵＲＬ選定サーバ１３に対して出力する（図３の２）。
このＷｅｂ−ＵＲＬ情報要求信号を受け取ったＷｅｂ−ＵＲＬ選定サーバ１３は、前述のＷｅｂ−ＵＲＬデータベース１４を参照し（図３の３）、予め定めた特定の選定条件に従って前述の発信端末１１および着信端末１６に提供すべきＷｅｂコンテンツのＷｅｂ−ＵＲＬ情報をそれぞれ選定し（図３の４）、選定されたそれぞれのＷｅｂ−ＵＲＬ情報を呼接続制御サーバ１２に出力する（図３の５）。
【００３５】
例えば、発信者および着信者が予め通信事業者に対して性別、年齢等のプロファイル情報を登録しているような場合には、これらのプロファイル情報を利用して、発信者および着信者のそれぞれに提供すべきＷｅｂコンテンツのＷｅｂ−ＵＲＬ情報を選定すること等も可能である。
呼接続制御サーバ１２は、前述した接続要求信号に含まれる発信者の識別情報、あるいは発信端末１１の識別情報によって特定される発信端末１１に対して、発信端末１１に提供すべきＷｅｂコンテンツのＷｅｂ−ＵＲＬ情報を出力（図３の６）するとともに、前述した接続要求信号に含まれる着信者の識別情報、あるいは着信端末１６の識別情報によって特定される着信端末１６に対して、着信端末１６に提供すべきＷｅｂコンテンツのＷｅｂ−ＵＲＬ情報を出力する（図３の７）。
発信端末１１は、Ｗｅｂコンテンツサーバ１５Ａが格納しているＷｅｂコンテンツのうち、受け取ったＷｅｂ−ＵＲＬ情報にて示されるＷｅｂコンテンツをＷｅｂコンテンツサーバ１５Ａから取得する（図３の８、９）。
【００３６】
また、発信端末１１と同様に着信端末１６も、Ｗｅｂコンテンツサーバ１５Ｂが格納しているＷｅｂコンテンツのうち、受け取ったＷｅｂ−ＵＲＬ情報にて示されるＷｅｂコンテンツをＷｅｂコンテンツサーバ１５Ｂから取得する（図３の１０、１１）。
その後、発信端末１１および着信端末１６はそれぞれＷｅｂブラウザを起動し、それぞれ取得したＷｅｂコンテンツの表示等を行う。
一方、呼接続制御サーバ１２は、必要に応じて、前述の接続要求信号に含まれる発信者の識別情報あるいは発信端末１１の識別情報によって特定される発信端末１１と、着信者の識別情報あるいは着信端末１６の識別情報によって特定される着信端末１６との間の呼接続処理を続行して呼接続を行う（図３の１２）。
前述したような処理を行うことにより、発信端末１１と着信端末１６との間の呼が確立される前に、予め定めた特定の選定条件に従ってそれぞれ選定された他コンテンツを発信端末１１と着信端末１６が取得することができる。
【００３７】
［実施の形態４］
図４は、本発明の実施の形態４の通信システムの概略構成を示すブロック図である。
なお、本実施の形態は、前述の実施の形態１の変形例であるので、以下の説明では、前述の実施の形態１と異なる部分についてのみ説明する。また、本構成例は請求項３あるいは請求項６の発明に対応する。
図４において、発信端末１１は、呼接続制御サーバ１２に対して接続要求信号を出力する前に、呼接続装置１０に対して自端末の位置情報を事前に送信する。
発信端末１１から出力された当該発信端末１１の位置情報は、呼接続装置内に備えられた位置管理サーバ１７に格納される。
なお、位置管理サーバ１７は、受け取った位置情報を、当該発信端末１１に対応する発信者の識別情報、あるいは、発信端末１１の識別情報のいずれかと対応付けて格納する。
一方、呼接続制御サーバ１２からＷｅｂ−ＵＲＬ情報要求信号を受け取ったＷｅｂ−ＵＲＬ選定サーバ１３は、前述の位置管理サーバ１７に格納されている位置情報を参照（図４の３）することにより、当該発信端末１１の位置情報を取得する（図４の４）。
【００３８】
その後、前述のＷｅｂ−ＵＲＬデータベース１４を参照し（図４の５）、位置管理サーバ１７から取得した位置情報に基づいて、前述の発信端末１１に提供すべきＷｅｂコンテンツのＷｅｂ−ＵＲＬ情報を選定し（図４の６）、選定されたＷｅｂ−ＵＲＬ情報を呼接続制御サーバ１２に出力する（図４の７）。
前述したような処理を行うことにより、発信端末１１と着信端末１６との間の呼が確立される前に、発信端末１１の位置情報に基づいて選定されたＷｅｂコンテンツを発信端末１１が取得することができる。
従って、例えば、発信端末１１に対して地域情報やその地域周辺の店といった情報を提供することが可能となり、高い付加価値を持つ通信サービスを提供することが可能となる。
なお、本実施の形態において、位置管理サーバ１７に格納された発信端末１１の位置情報に基づき、図２に示すように、呼接続制御サーバ１２から着信端末１６に対して、着信端末１６に提供すべきＷｅｂコンテンツのＷｅｂ−ＵＲＬ情報を出力するようにしてもよい。
【００３９】
［実施の形態５］
図５は、本発明の実施の形態５の通信システムの概略構成を示すブロック図である。
なお、本実施の形態は、前述の実施の形態２の変形例であるので、以下の説明では、前述の実施の形態２と異なる部分についてのみ説明する。また、本構成例は請求項４あるいは請求項７の発明に対応する。
図５において、着信端末１６は、発信端末１１が呼接続制御サーバ１２に対して接続要求信号を出力する前に、呼接続装置１０に対して自端末の位置情報を事前に送信する。
着信端末１６から出力された当該着信端末１６の位置情報は、前述の呼接続装置内に備えられた位置管理サーバ１７によって格納される。
なお、位置管理サーバ１７は、受け取った位置情報を、当該着信端末１６に対応する着信者の識別情報、あるいは着信端末１６の識別情報のいずれかと対応付けて格納する。
【００４０】
一方、呼接続制御サーバ１２からＷｅｂ−ＵＲＬ情報要求信号を受け取ったＷｅｂ−ＵＲＬ選定サーバ１３は、前述の位置管理サーバ１７に格納されている位置情報を参照（図５の３）することにより、当該着信端末１６の位置情報を取得する（図５の４）。
その後、前述のＷｅｂ−ＵＲＬデータベース１４を参照し（図５の５）、位置管理サーバ１７から取得した位置情報に基づいて、前述の着信端末１６に提供すべきＷｅｂコンテンツのＷｅｂ−ＵＲＬ情報を選定し（図５の６）、選定されたＷｅｂ−ＵＲＬ情報を呼接続制御サーバ１２に出力する（図５の７）。
前述したような処理を行うことにより、発信端末１１と着信端末１６との間の呼が確立される前に、着信端末１６の位置情報に基づいて選定されたＷｅｂコンテンツを着信端末１６が取得することができる。
従って、例えば、着信端末１６に対して地域情報やその地域周辺の店といった情報を提供することが可能となり、高い付加価値を持つ通信サービスを提供することが可能となる。
なお、本実施の形態において、位置管理サーバ１７に格納された着信端末１６の位置情報に基づき、図１に示すように、呼接続制御サーバ１２から発信端末１１に対して、発信端末１１に提供すべきＷｅｂコンテンツのＷｅｂ−ＵＲＬ情報を出力するようにしてもよい。
【００４１】
［実施の形態６］
図６は、本発明の実施の形態６の通信システムの概略構成を示すブロック図である。
なお、本実施の形態は、前述の実施の形態３の変形例であるので、以下の説明では、前述の実施の形態３と異なる部分についてのみ説明する。また、本構成例は請求項５あるいは請求項８の発明に対応する。
図６において、発信端末１１と着信端末１６は、発信端末１１が呼接続制御サーバ１２に対して接続要求信号を出力する前に、呼接続装置１０に対して自端末の位置情報をそれぞれ事前に送信する。
発信端末１１と着信端末１６から出力されたそれぞれの位置情報は、前述の呼接続装置内に備えられた位置管理サーバ１７に、それぞれ格納される。
なお、位置管理サーバ１７は、受け取った発信端末１１の位置情報を、当該発信端末１１に対応する発信者の識別情報、あるいは発信端末１１の識別情報のいずれかと対応付けて格納するとともに、受け取った着信端末１６の位置情報を、当該着信端末１６に対応する着信者の識別情報、あるいは着信端末１６の識別情報のいずれかと対応付けて格納する。
【００４２】
一方、呼接続制御サーバ１２からＷｅｂ−ＵＲＬ情報要求信号を受け取ったＷｅｂ−ＵＲＬ選定サーバ１３は、前述の位置管理サーバ１７に格納されている位置情報を参照（図６の３）することにより、当該発信端末１１の位置情報と当該着信端末１６の位置情報を取得する（図６の４）。
その後、前述のＷｅｂ−ＵＲＬデータベース１４を参照し（図６の５）、位置管理サーバ１７から取得した位置情報に基づいて、前述の発信端末１１に提供すべきＷｅｂコンテンツのＷｅｂ−ＵＲＬ情報と、前述の着信端末１６に提供すべきＷｅｂコンテンツのＷｅｂ−ＵＲＬ情報とをそれぞれ選定し（図６の６）、選定されたＷｅｂ−ＵＲＬ情報をそれぞれ呼接続制御サーバ１２に出力する（図６の７）。
前述したような処理を行うことにより、発信端末１１と着信端末１６との間の呼が確立される前に、発信端末１１の位置情報と着信端末１６の位置情報に基づいて選定されたＷｅｂコンテンツを発信端末１１と着信端末１６がそれぞれ取得することができる。
従って、例えば、発信端末１１と着信端末１６のそれぞれに対して地域情報やその地域周辺の店といった情報を提供することが可能となり、高い付加価値を持つ通信サービスを提供することが可能となる。
【００４３】
［実施の形態７］
図７は、本発明の実施の形態７の通信システムの概略構成を示すブロック図である。
なお、本実施の形態は、前述の実施の形態１の変形例であるので、以下の説明では、前述の実施の形態１と異なる部分についてのみ説明する。また、本構成例は請求項９の発明に対応する。
図７において、まず、発信端末１１は、着信端末１６との間の呼接続処理を呼接続制御サーバ１２に依頼するために必要となる接続要求信号を呼接続制御サーバ１２に対して出力する（図７の１）。
前述の実施の形態１では、この接続要求信号には、発信端末１１を特定するために必要な発信者の識別情報、あるいは発信端末１１の識別情報と、着信端末１６を特定するために必要な着信者の識別情報、あるいは着信端末１６の識別情報とが含まれていた。
【００４４】
しかし、本実施の形態においては、この接続要求信号には、発信端末１１を特定するために必要な発信者の識別情報、あるいは発信端末１１の識別情報と、着信端末１６を特定するために必要な着信者の識別情報、あるいは着信端末１６の識別情報とに加えて、発信端末１１が着信端末１６との通信においてやり取りしたい通信内容についての主題を表すＳｕｂｊｅｃｔ情報を含むことが特徴である。
例えば、発信者が着信者と天気についての情報をやり取りしたい場合には、発信端末１１はキーワードとなる「天気」をＳｕｂｊｅｃｔ情報として、接続要求信号にて送信する。
一方、接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、発信端末１１に提供すべきＷｅｂコンテンツを特定するためのＷｅｂ−ＵＲＬ情報を取得するために、前述のＳｕｂｊｅｃｔ情報を含むＷｅｂ−ＵＲＬ情報要求信号をＷｅｂ−ＵＲＬ選定サーバ１３に対して出力する（図７の２）。
【００４５】
このＷｅｂ−ＵＲＬ情報要求信号を受け取ったＷｅｂ−ＵＲＬ選定サーバ１３は、前述のＷｅｂ−ＵＲＬデータベース１４を参照し（図７の３）、受け取ったＳｕｂｊｅｃｔ情報に基づいて、前述の発信端末１１に提供すべきＷｅｂコンテンツのＷｅｂ−ＵＲＬ情報を選定し（図７の４）、選定されたＷｅｂ−ＵＲＬ情報を呼接続制御サーバ１２に出力する（図７の５）。
前述したような処理を行うことにより、発信端末１１と着信端末１６との間の呼が確立される前に、発信端末１１が着信端末１６との通信においてやり取りしたい通信内容についての主題を表すＳｕｂｊｅｃｔ情報に基づいて選定されたＷｅｂコンテンツを発信端末１１が取得することができる。
従って、発信者は通信内容に関連する情報を通信に先だって入手することが可能となり、呼の確立後即ち呼接続後の着信者との通信においてより多くの情報に基づいた通信を行うことが可能となり、高い付加価値を持つ通信サービスを提供することが可能となる。
【００４６】
［実施の形態８］
図８は、本発明の実施の形態８の通信システムの概略構成を示すブロック図である。
なお、本実施の形態は、前述の実施の形態１の変形例であるので、以下の説明では、前述の実施の形態１と異なる部分についてのみ説明する。また、本構成例は請求項１０の発明に対応する。
図８において、接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、発信端末１１に提供すべきＷｅｂコンテンツを特定するためのＷｅｂ−ＵＲＬ情報を取得するために、受け取った接続要求信号に含まれる発信者の識別情報、あるいは発信端末１１の識別情報を含むＷｅｂ−ＵＲＬ情報要求信号をＷｅｂ−ＵＲＬ選定サーバ１３に対して出力する（図８の２）。
【００４７】
このＷｅｂ−ＵＲＬ情報要求信号を受け取ったＷｅｂ−ＵＲＬ選定サーバ１３は、前述のＷｅｂ−ＵＲＬデータベース１４を参照し（図８の３）、受け取った発信者の識別情報あるいは発信端末１１の識別情報に基づいて、前述の発信端末１１に提供すべきＷｅｂコンテンツのＷｅｂ−ＵＲＬ情報を選定し（図８の４）、選定されたＷｅｂ−ＵＲＬ情報を呼接続制御サーバ１２に出力する（図８の５）。
前述したような処理を行うことにより、発信端末１１と着信端末１６との間の呼が確立される前に、発信端末１１は、発信者の識別情報、あるいは発信端末１１の識別情報に基づいて選定されたＷｅｂコンテンツを取得することができる。
なお、本実施の形態において、発信者の識別情報、あるいは発信端末１１の識別情報に基づき、図２に示すように、呼接続制御サーバ１２から着信端末１６に対して、着信端末１６に提供すべきＷｅｂコンテンツのＷｅｂ−ＵＲＬ情報を出力するようにしてもよい。
【００４８】
［実施の形態９］
図９は、本発明の実施の形態９の通信システムの概略構成を示すブロック図である。
なお、本実施の形態は、前述の実施の形態２の変形例であるので、以下の説明では、前述の実施の形態２と異なる部分についてのみ説明する。また、本構成例は請求項１１の発明に対応する。
図９において、接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、着信端末１６に提供すべきＷｅｂコンテンツを特定するためのＷｅｂ−ＵＲＬ情報を取得するために、受け取った接続要求信号に含まれる着信者の識別情報、あるいは着信端末１６の識別情報を含むＷｅｂ−ＵＲＬ情報要求信号をＷｅｂ−ＵＲＬ選定サーバ１３に対して出力する（図９の２）。
【００４９】
このＷｅｂ−ＵＲＬ情報要求信号を受け取ったＷｅｂ−ＵＲＬ選定サーバ１３は、前述のＷｅｂ−ＵＲＬデータベース１４を参照し（図９の３）、受け取った着信者の識別情報、あるいは着信端末１６の識別情報に基づいて、前述の着信端末１６に提供すべきＷｅｂコンテンツのＷｅｂ−ＵＲＬ情報を選定し（図９の４）、選定されたＷｅｂ−ＵＲＬ情報を呼接続制御サーバ１２に出力する（図９の５）。
前述したような処理を行うことにより、発信端末１１と着信端末１６との間の呼が確立される前に、着信端末１６は、着信者の識別情報、あるいは着信端末１６の識別情報に基づいて選定されたＷｅｂコンテンツを取得することができる。
なお、本実施の形態において、着信者の識別情報、あるいは着信端末１６の識別情報に基づき、図１に示すように、呼接続制御サーバ１２から発信端末１１に対して、発信端末１１に提供すべきＷｅｂコンテンツのＷｅｂ−ＵＲＬ情報を出力するようにしてもよい。
【００５０】
［実施の形態１０］
図１０は、本発明の実施の形態１０の通信システムの概略構成を示すブロック図である。
なお、本実施の形態は、前述の実施の形態３の変形例であるので、以下の説明では、前述の実施の形態３と異なる部分についてのみ説明する。また、本構成例は請求項１２の発明に対応する。
図１０において、接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、発信端末１１および着信端末１６のそれぞれに提供すべきＷｅｂコンテンツを特定するためのＷｅｂ−ＵＲＬ情報をそれぞれ取得するために、受け取った接続要求信号に含まれる発信者の識別情報、あるいは発信端末１１の識別情報と、着信者の識別情報、あるいは着信端末１６の識別情報とを含むＷｅｂ−ＵＲＬ情報要求信号をＷｅｂ−ＵＲＬ選定サーバ１３に対して出力する（図１０の２）。
【００５１】
このＷｅｂ−ＵＲＬ情報要求信号を受け取ったＷｅｂ−ＵＲＬ選定サーバ１３は、前述のＷｅｂ−ＵＲＬデータベース１４を参照し（図１０の３）、受け取った発信者の識別情報、あるいは発信端末１１の識別情報と、着信者の識別情報、あるいは着信端末１６の識別情報との少なくとも一方に基づいて、前述の発信端末１１および着信端末１６のそれぞれに提供すべきＷｅｂコンテンツのＷｅｂ−ＵＲＬ情報をそれぞれ選定し（図１０の４）、選定されたＷｅｂ−ＵＲＬ情報を呼接続制御サーバ１２に出力する（図１０の５）。
前述したような処理を行うことにより、発信端末１１と着信端末１６との間の呼が確立される前に、発信端末１１と着信端末１６は、発信者の識別情報あるいは発信端末１１の識別情報と、着信者の識別情報あるいは着信端末１６の識別情報とに基づいて選定されたＷｅｂコンテンツをそれぞれ取得することができる。
従って、例えば、当該発信者と当該着信者とが以前に通信を行った内容等を他コンテンツとして登録しておくことにより、これを通信に先立って発信者および着信者に提供することが可能となりスムーズなやり取りを実現することができるようになるため、高い付加価値を持つ通信サービスを提供することが可能となる。
【００５２】
［実施の形態１１］
図１１は、本発明の実施の形態１１の通信システムの概略構成を示すブロック図である。
なお、本実施の形態は、前述の実施の形態２の変形例であるので、以下の説明では、前述の実施の形態２と異なる部分についてのみ説明する。また、本構成例は請求項１２の発明に対応する。
図１１において、接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、着信端末１６に提供すべきＷｅｂコンテンツを特定するためのＷｅｂ−ＵＲＬ情報をそれぞれ取得するために、受け取った接続要求信号に含まれる発信者の識別情報あるいは発信端末１１の識別情報と、着信者の識別情報あるいは着信端末１６の識別情報とを含むＷｅｂ−ＵＲＬ情報要求信号をＷｅｂ−ＵＲＬ選定サーバ１３に対して出力する（図１１の２）。
【００５３】
このＷｅｂ−ＵＲＬ情報要求信号を受け取ったＷｅｂ−ＵＲＬ選定サーバ１３は、前述のＷｅｂ−ＵＲＬデータベース１４を参照し（図１１の３）、受け取った発信者の識別情報、あるいは発信端末１１の識別情報と、着信者の識別情報、あるいは着信端末１６の識別情報との少なくとも一方に基づいて、前述の着信端末１６に提供すべきＷｅｂコンテンツのＷｅｂ−ＵＲＬ情報をそれぞれ選定し（図１１の４）、選定されたＷｅｂ−ＵＲＬ情報を呼接続制御サーバ１２に出力する（図１１の５）。
前述したような処理を行うことにより、発信端末１１と着信端末１６との間の呼が確立される前に、着信端末１６は、発信者の識別情報あるいは発信端末１１の識別情報と、着信者の識別情報あるいは着信端末１６の識別情報とに基づいて選定されたＷｅｂコンテンツをそれぞれ取得することができる。
【００５４】
［実施の形態１２］
図１２は、本発明の実施の形態１２の通信システムの概略構成を示すブロック図である。
なお、本実施の形態は、前述の実施の形態１１の変形例であるので、以下の説明では、前述の実施の形態１１と異なる部分についてのみ説明する。また、本構成例は請求項１３の発明に対応する。
図１２において、前述したＷｅｂ−ＵＲＬ情報要求信号を受け取ったＷｅｂ−ＵＲＬ選定サーバ１３は、前述のＷｅｂ−ＵＲＬデータベース１４を参照し（図１２の３）、受け取った発信者の識別情報あるいは発信端末１１の識別情報と、着信者の識別情報あるいは着信端末１６の識別情報との少なくとも一方に基づいて、前述の着信端末１６に提供すべきＷｅｂコンテンツのＷｅｂ−ＵＲＬ情報を選定する（図１２の４）とともに、このＷｅｂ−ＵＲＬ情報に対応するパスワード情報を生成し、選定されたＷｅｂ−ＵＲＬ情報と生成したパスワード情報を呼接続制御サーバ１２に出力する（図１２の５）。
【００５５】
Ｗｅｂ−ＵＲＬ情報とパスワード情報を受け取った呼接続制御サーバ１２は、前述した接続要求信号に含まれる着信者の識別情報、あるいは着信端末１６の識別情報によって特定される着信端末１６に対して、前述したＷｅｂ−ＵＲＬ情報とパスワード情報を出力する（図１２の６）。
着信端末１６は、Ｗｅｂコンテンツサーバ１５が格納しているＷｅｂコンテンツのうち、受け取ったＷｅｂ−ＵＲＬ情報にて示されるＷｅｂコンテンツをＷｅｂコンテンツサーバ１５から取得するために、Ｗｅｂ−ＵＲＬ情報とパスワード情報をＷｅｂコンテンツサーバ１５に対して出力する（図１２の７）。
このＷｅｂコンテンツサーバ１５には、前述の発信者の識別情報あるいは発信端末１１の識別情報と、着信者の識別情報あるいは着信端末１６の識別情報との少なくとも一方に基づいて生成されたパスワード情報が前述のＷｅｂコンテンツに対応付けられて格納されており、このパスワード情報を用いて、着信端末１６から受け取ったパスワード情報に対して認証を行う。
【００５６】
その後、認証の結果がＯＫであった場合には、前述した着信端末１６に対して前述のＷｅｂ−ＵＲＬ情報によって示されるＷｅｂコンテンツを出力する（図１２の８）。
また、認証の結果がＮＧであった場合には、前述のＷｅｂコンテンツは出力しない。
Ｗｅｂコンテンツを受け取った着信端末１６はＷｅｂブラウザを起動してＷｅｂコンテンツの表示等を行う。
その後、呼接続制御サーバ１２は、必要に応じて、前述の発信端末１１と着信端末１６との間の呼接続処理を続行して呼接続を行う（図１２の９）。
【００５７】
前述したような処理を行うことにより、発信端末１１と着信端末１６との間の呼が確立される前に、着信端末１６は、発信者の識別情報あるいは発信端末１１の識別情報と、着信者の識別情報あるいは着信端末１６の識別情報との少なくとも一方に基づいて選定されたＷｅｂコンテンツをそれぞれ取得することができる。
また、このＷｅｂコンテンツは、発信者の識別情報あるいは発信端末１１の識別情報と、着信者の識別情報あるいは着信端末１６の識別情報との少なくとも一方に基づいて生成されるパスワードによって保護される。
一般に、ネットワーク上に設置されたＷｅｂコンテンツサーバ１５には誰でもアクセスすることが可能であるため、例えば、発信者と着信者以外には見られたくないようなＷｅｂコンテンツが第三者によって見られてしまうという問題が生じるが、本例では前述したようなパスワードによる認証が行われるため、そのような問題が生じることはない。
即ち、本発明により高品質なサービスを提供することが可能となる。
【００５８】
［実施の形態１３］
図１３は、本発明の実施の形態１３の通信システムの概略構成を示すブロック図である。
なお、本実施の形態は、前述の実施の形態１２の変形例であるので、以下の説明では、前述の実施の形態１２と異なる部分についてのみ説明する。また、本構成例は請求項１４の発明に対応する。
図１３において、Ｗｅｂ−ＵＲＬデータベース１４は、前述のＷｅｂコンテンツサーバ１５に格納されているＷｅｂコンテンツを一意に特定するために必要となるＷｅｂ−ＵＲＬ情報を格納するとともに、発信者の識別情報あるいは発信端末１１の識別情報と、着信者の識別情報あるいは着信端末１６の識別情報との少なくとも一方に基づいて予め生成したパスワード情報を、対応するＷｅｂ−ＵＲＬ情報に対応付けて格納している。
【００５９】
前述したＷｅｂ−ＵＲＬ情報要求信号を受け取ったＷｅｂ−ＵＲＬ選定サーバ１３は、前述のＷｅｂ−ＵＲＬデータベース１４を参照し（図１３の３）、情報要求信号に含まれる発信者の識別情報あるいは発信端末１１の識別情報と、着信者の識別情報あるいは着信端末１６の識別情報との少なくとも一方に基づいて、前述の着信端末１６に提供すべきＷｅｂコンテンツのＷｅｂ−ＵＲＬ情報を選定するとともに、Ｗｅｂ−ＵＲＬデータベース１４に格納されている前述のパスワード情報のうち、発信者の識別情報あるいは発信端末１１の識別情報と、着信者の識別情報あるいは着信端末１６の識別情報との少なくとも一方に基づいて生成されたパスワード情報を取得（図１３の４）した後、選定されたＷｅｂ−ＵＲＬ情報とＷｅｂ−ＵＲＬデータベース１４から取得したパスワード情報とを呼接続制御サーバ１２に出力する（図１３の５）。
【００６０】
前述したような処理を行うことにより、発信端末１１と着信端末１６との間の呼が確立される前に、着信端末１６は、発信者の識別情報あるいは発信端末１１の識別情報と、着信者の識別情報あるいは着信端末１６の識別情報との少なくとも一方に基づいて選定されたＷｅｂコンテンツをそれぞれ取得することができる。
また、このＷｅｂコンテンツは、発信者の識別情報あるいは発信端末１１の識別情報と、着信者の識別情報あるいは着信端末１６の識別情報との少なくとも一方に基づいて生成されるパスワードによって保護される。
一般に、ネットワーク上に設置されたＷｅｂコンテンツサーバ１５には誰でもアクセスすることが可能であるため、例えば、発信者と着信者以外には見られたくないようなＷｅｂコンテンツが第三者によって見られてしまうという問題が生じるが、本例では前述したようなパスワードによる認証が行われるため、そのような問題が生じることはない。
即ち、本発明により高品質なサービスを提供することが可能となる。
【００６１】
［実施の形態１４］
図１４は、本発明の実施の形態１４の通信システムの概略構成を示すブロック図である。
なお、本実施の形態は、前述の実施の形態１の変形例であるので、以下の説明では、前述の実施の形態１と異なる部分についてのみ説明する。また、本構成例は請求項１５の発明に対応する。
図１４において、接続要求信号を受け取った呼接続制御サーバ１２は、接続要求信号によって得られる着信端末１６への呼接続処理を開始するが、発信端末１１と着信端末１６との間の呼を確立する前に、前述したＷｅｂコンテンツサーバ１５が格納している少なくとも１つのＷｅｂコンテンツのうち、発信端末１１に提供すべきＷｅｂコンテンツを特定するためのＷｅｂ−ＵＲＬ情報を取得するために、接続要求信号を呼接続制御サーバ１２が受け取った時刻の情報を含むＷｅｂ−ＵＲＬ情報要求信号をＷｅｂ−ＵＲＬ選定サーバ１３に対して出力する（図１４の２）。
このＷｅｂ−ＵＲＬ情報要求信号を受け取ったＷｅｂ−ＵＲＬ選定サーバ１３は、前述のＷｅｂ−ＵＲＬデータベース１４を参照し（図１４の３）、受け取った時刻情報に基づいて、前述の発信端末１１に提供すべきＷｅｂコンテンツのＷｅｂ−ＵＲＬ情報を選定し（図１４の４）、選定されたＷｅｂ−ＵＲＬ情報を呼接続制御サーバ１２に出力する（図１４の５）。
前述したような処理を行うことにより、発信端末１１と着信端末１６との間の呼が確立される前に、時刻情報に基づいて選定されたＷｅｂコンテンツを発信端末１１が取得することができる。
【００６２】
［実施の形態１５］
図１５は、本発明の実施の形態１５の通信システムの概略構成を示すブロック図である。
なお、本実施の形態は、前述の実施の形態９の変形例であるので、以下の説明では、前述の実施の形態９と異なる部分についてのみ説明する。また、本構成例は請求項１６の発明に対応する。
図１５において、発信端末１１は、接続要求信号を呼接続制御サーバ１２に対して出力する前に、Ｗｅｂ−ＵＲＬデータベース１４に登録したいＷｅｂ−ＵＲＬ情報を含むＷｅｂ−ＵＲＬ登録要求信号を呼接続装置内に設置されているＷｅｂ−ＵＲＬ登録サーバ１８に対して出力する（図１５の１）。
Ｗｅｂ−ＵＲＬ登録サーバ１８は、受け取ったＷｅｂ−ＵＲＬ登録要求信号に含まれるＷｅｂ−ＵＲＬ情報をＷｅｂ−ＵＲＬデータベース１４に出力し（図１５の２）、Ｗｅｂ−ＵＲＬデータベース１４は受け取ったＷｅｂ−ＵＲＬ情報を格納する。
【００６３】
一方、Ｗｅｂ−ＵＲＬ情報要求信号を受け取ったＷｅｂ−ＵＲＬ選定サーバ１３は、前述のＷｅｂ−ＵＲＬデータベース１４により格納されているＷｅｂ−ＵＲＬ情報のうち、Ｗｅｂ−ＵＲＬ情報要求信号に含まれている発信者の識別情報あるいは発信端末１１の識別情報に基づいて、該識別情報に対応する発信端末１１が出力した前述のＷｅｂ−ＵＲＬ登録要求信号に含まれるＷｅｂ−ＵＲＬ情報を前述の呼接続制御サーバ１２に出力する（図１５の３）。
その他の処理は、前述の実施の形態９における処理と同様である。
前述したような処理を行うことにより、発信端末１１と着信端末１６との間の呼が確立される前に、発信端末１１が予め指定したＷｅｂ−ＵＲＬ情報に対応するＷｅｂコンテンツを着信端末１６が取得することができる。
【００６４】
［実施の形態１６］
図１６は、本発明の実施の形態１６の通信システムの概略構成を示すブロック図である。なお、本構成例は請求項１７および請求項３１の発明に対応する。
図１６において、顧客２０は何らかのサポートが必要になった場合に、自分の識別情報とサポートセンタ３０の識別情報とを含む接続要求情報を通信事業者に対して出力する（図１６の３）。
なお、この場合、通信事業者が顧客２０の識別情報を認識することが可能であれば、顧客２０は自分の識別情報を通信事業者に対して明示的に出力する必要はない。
例えば、現在の電話網の場合には、一般に、顧客２０がサポートセンタ３０に電話することにより、顧客２０が明示的に自分の電話番号を通信事業者に対して明示的に通知しなくとも通信事業者は、どの電話番号を持つ顧客２０が電話をかけたのかを認識することが可能である。
このような場合には、顧客２０は特に明示的に通信事業者に対して自分の電話番号、即ち、識別情報を通知しなくとも良く、ただ単純にサポートセンタ３０に電話するのみで良い。
【００６５】
顧客２０からの接続要求情報を受け取った通信事業者は、顧客２０とサポートセンタ３０との間の呼接続処理を開始するが、顧客２０とサポートセンタ３０との間の呼を確立する前に、図１６に示されている呼接続装置１０、即ち、呼接続装置内の呼接続制御サーバ１２、Ｗｅｂ−ＵＲＬ選定サーバ１３、Ｗｅｂ−ＵＲＬデータベース１４およびＷｅｂ−ＵＲＬ登録サーバ１８を用いることにより、サポートセンタ３０から事前に指定されたＦＡＱ情報の格納場所を示すいくつかのＦＡＱアドレス情報の中から、前述の顧客２０に提供すべき適切なＦＡＱ情報に対応するＦＡＱアドレス情報を選定し、選定されたＦＡＱアドレス情報を顧客２０に通知する。
なお、ＦＡＱとは、Frequently Asked Questionの略であり、本実施の形態における「ＦＡＱ情報」は「顧客２０からサポートセンタ３０ヘのよくある質問と、その質問に対するサポートセンタ３０から顧客２０への回答」の意味で用いている。
【００６６】
即ち、前述したように、サポートセンタ３０は、顧客２０からよく問い合わせがあるいくつかの質問に対する回答を予めＦＡＱ情報として用意し、このＦＡＱ情報をＷｅｂコンテンツとしてＷｅｂコンテンツサーバ１５に登録しておくとともに、当該ＦＡＱ情報が登録即ち格納されている場所を示すＷｅｂ−ＵＲＬ情報であるＦＡＱアドレス情報を通信事業者が管理・運用するＷｅｂ−ＵＲＬ登録サーバ１８を介してＷｅｂ−ＵＲＬデータベース１４に登録する（図１６の１、２）。
なお、本実施の形態においては、顧客毎に異なったＦＡＱ情報をＷｅｂコンテンツサーバ１５に登録し、これらのＦＡＱ情報に対応するＦＡＱアドレス情報をそれぞれＷｅｂ−ＵＲＬデータベース１４に登録するが、ＦＡＱアドレス情報を登録する際には、例えば、顧客２０の識別情報の１つである顧客２０の電話番号に対応付けて登録する。
即ち、顧客２０からの接続要求情報を受け取った呼接続装置１０は、顧客２０に提供すべきＦＡＱ情報の格納場所を示すＦＡＱアドレス情報を取得するためにＷｅｂ−ＵＲＬ選定サーバ１３に対して、Ｗｅｂ−ＵＲＬ情報、即ち、ＦＡＱアドレス情報の要求を行うとともに、顧客２０の識別情報である顧客２０の電話番号情報をＷｅｂ−ＵＲＬ選定サーバ１３に通知する（図１６の４）。
【００６７】
Ｗｅｂ−ＵＲＬ選定サーバ１３は、通知された顧客２０の電話番号情報に基づいて、前述のＷｅｂ−ＵＲＬデータベース１４を参照し（図１６の５）、当該電話番号情報に対応付けられて登録されているＦＡＱアドレス情報をＷｅｂ−ＵＲＬデータベース１４から取得し（図１６の６）、このＦＡＱアドレス情報を呼接続制御サーバ１２に通知する（図１６の７）。
呼接続制御サーバ１２は、受け取ったＦＡＱアドレス情報を前述の顧客２０に対して出力する（図１６の８）。
顧客２０は受け取ったＦＡＱアドレス情報にて示されるＷｅｂコンテンツサーバ１５に格納されているＷｅｂコンテンツ即ちＦＡＱ情報を、Ｗｅｂコンテンツサーバ１５から取得し、当該ネットワーク上に接続された発信端末に搭載されている情報閲覧アプリケーションを起動してＦＡＱ情報を閲覧する（図１６の９、１０）。
情報閲覧アプリケーションとしては、Ｗｅｂブラウザ等が考えられる。
顧客２０はＦＡＱ情報を閲覧することにより、当初必要であったサポートが必要で無くなった場合には、前述の通信事業者に対してサポートが不必要になった旨を通知し、この通知を受け取った通信事業者は顧客２０とサポートセンタの間の呼接続処理を続行せずに処理を終了する。
【００６８】
一方、顧客２０がＦＡＱ情報を閲覧した後においても、当初必要であったサポートが依然として必要な場合には、顧客２０は通信事業者に対してサポートが必要である旨を通知する。
この通知を受け取った通信事業者は、前述の呼接続制御サーバ１２を用いて顧客２０とサポートセンタ３０との間の呼接続処理を線行して呼接続を行う（図１６の１１）。
この呼接続の後、顧客２０はサポートセンタ３０の担当者から直接的にサポートを受けることができるようになる。
前述したような処理を行うことにより、ＦＡＱ情報によって簡単に解決できるような案件の場合には、顧客２０とサポートセンタ３０との間の呼接続、即ち、呼の確立が行われないため、サポートセンタ３０の担当者が顧客２０に対して直接対応をする必要がない。
従って、サポートセンタ３０の担当者は、顧客２０がＦＡＱ情報を閲覧しただけでは解決できないような案件に対して対応をするだけで済むため、サポートセンタ３０の稼動を低く抑えることが可能となる。
【００６９】
［実施の形態１７］
図１７は、本発明の実施の形態１７の通信システムの概略構成を示すブロック図である。
なお、本実施の形態は、前述の実施の形態１の変形例であるので、以下の説明では、前述の実施の形態１と異なる部分についてのみ説明する。また、本構成例は請求項１８の発明に対応する。
図１７において、発信者は自分の識別情報と通信相手である着信者の識別情報とを含む接続要求情報を通信事業者に対して出力する（図１７の３）。
なお、この場合、通信事業者が発信者の識別情報を認識することが可能であれば、発信者は自分の識別情報を通信事業者に対して明示的に出力する必要はない。
発信者からの接続要求情報を受け取った通信事業者は、発信者と通信相手である着信者との間の呼接続処理を開始するが、発信者と着信者との間の呼を確立する前に、図１７に示されている呼接続装置１０、即ち、呼接続装置内の呼接続制御サーバ１２、Ｗｅｂ−ＵＲＬ選定サーバ１３、Ｗｅｂ−ＵＲＬデータベース１４およびＷｅｂ−ＵＲＬ登録サーバ１８を用いることにより、発信者および着信者以外の第三者である広告提供者から事前に指定された広告情報の格納場所を示すいくつかの広告アドレス情報の中から、前述の発信者に提供すべき適切な広告情報に対応する広告アドレス情報を選定し、選定された広告アドレス情報を発信者に通知する。
【００７０】
即ち、前述したように、広告提供者は、発信者に対して提供したい広告情報を予め用意しておき、この広告情報をＷｅｂコンテンツとしてＷｅｂコンテンツサーバ１５に登録しておくとともに、当該広告情報が登録、即ち、格納されている場所を示すＷｅｂ−ＵＲＬ情報である広告アドレス情報を通信事業者が管理・運用するＷｅｂ−ＵＲＬ登録サーバ１８を介してＷｅｂ−ＵＲＬデータベース１４に登録しておく（図１７の１、２）。
なお、本実施の形態においては、発信者毎に異なった広告情報をＷｅｂコンテンツサーバ１５に登録し、これらの広告情報に対応する広告アドレス情報をそれぞれＷｅｂ−ＵＲＬデータベース１４に登録するが、これらの広告アドレス情報を登録する際には、例えば、発信者の識別情報の１つである発信者の電話番号に対応付けて登録する。
即ち、発信者からの接続要求情報を受け取った呼接続制御サーバ１２は、発信者に提供すべき広告情報の格納場所を示す広告アドレス情報を取得するためにＷｅｂ−ＵＲＬ選定サーバ１３に対してＷｅｂ−ＵＲＬ情報、即ち、広告アドレス情報の要求を行うとともに、発信者の識別情報である発信者の電話番号情報をＷｅｂ−ＵＲＬ選定サーバ１３に通知する（図１７の４）。
【００７１】
Ｗｅｂ−ＵＲＬ選定サーバ１３は、通知された発信者の電話番号情報に基づいて、前述のＷｅｂ−ＵＲＬデータベース１４を参照し（図１７の５）、当該電話番号情報に対応付けられて登録されている広告アドレス情報をＷｅｂ−ＵＲＬデータベース１４から取得し（図１７の６）、この広告アドレス情報を呼接続制御サーバ１２に通知する（図１７の７）。
また、発信者が予め通信事業者に対して性別、年齢等のプロファイル情報を登録しているような場合には、これらのプロファイル情報を利用して、発信者に提供すべきＷｅｂコンテンツのＷｅｂ−ＵＲＬ情報を選定すること等も可能であるが、ここでは詳細な説明は省略する。
呼接続制御サーバ１２は、Ｗｅｂ−ＵＲＬ選定サーバ１３から受け取った広告アドレス情報を前述の発信者に対して出力する（図１７の８）。
【００７２】
発信者は受け取った広告アドレス情報にて示されるＷｅｂコンテンツサーバ１５に格納されているＷｅｂコンテンツ、即ち、広告情報を、Ｗｅｂコンテンツサーバ１５から取得し、当該ネットワーク上に接続された発信端末１１に搭載されているＷｅｂブラウザ等の情報閲覧アプリケ−ションを起動して広告情報を閲覧する（図１７の９、１０）。
この発信端末１１は、Ｗｅｂコンテンツサーバ１５から取得した広告情報をＷｅｂブラウザ等で発信者に閲覧させて一定時間が経過した後に、当該広告情報を発信者が閲覧したという旨を通信事業者に通知する。
この通知を受け取った通信事業者は、前述の呼接続制御サーバ１２を用いて、発信者と通信相手である着信者との間の呼接続処理を続行して呼接続を行う（図１７の１１）。
この呼接続、即ち、呼の確立の後、発信者は着信者と通信を行うことが可能となる。
【００７３】
なお、本実施の形態においては、発信者が使用する発信端末１１が、通信事業者に対して当該広告情報を発信者が閲覧したという旨を通知するが、例えば、このような通知を行うことなく、通信事業者が発信端末１１に対して広告アドレス情報を通知してから予め決めた一定時間が経過した後に、前述の呼接続制御サーバ１２が自動的に発信者と着信者との間の呼接続処理を続行することも可能である。
また、本実施の形態においては、Ｗｅｂ−ＵＲＬ選定サーバ１３は、発信者の電話番号情報に基づいて広告アドレス情報を選定したが、発信者の電話番号情報以外の、例えば、発信者の位置情報等に基づいて広告アドレス情報を選定することも可能である。
このように、例えば、発信者の位置情報等に基づいて広告アドレス情報を選定する場合には、広告提供者はＷｅｂ−ＵＲＬ登録サーバ１８を介して、前述した広告アドレス情報を発信者の位置情報等に対応付けてＷｅｂ−ＵＲＬデータベース１４に登録する必要があるのは言うまでもない。従って、ここではその説明は省略する。
【００７４】
前述したような処理を行うことにより、広告提供者は発信者と着信者との間の呼が確立される前に、発信者に対して自動的にその発信者に適した広告情報を提供することが可能となる。
また、発信者が広告情報を閲覧した場合に広告提供者が通信料金の少なくとも一部（即ち、全額あるいは一部）を負担することにより、発信者あるいは着信者が支払うべき通信料金を低く抑えることが可能となる。
さらに、前述の広告情報の閲覧中に着信者との呼接続処理をある程度進めておくことも可能であり、従来のシステムよりも本例の通信システムのほうが、利用者の抵抗も少ない。
さらに、広告提供者は、従来の音声情報以外の、例えば、動画等による画像情報も広告情報として登録することが可能であり、より効果的な広告情報を提供することが可能となる。
【００７５】
［実施の形態１８］
図１８は、本発明の実施の形態１８の通信システムの概略構成を示すブロック図である。
なお、本実施の形態は、前述の実施の形態１７の変形例であるので、以下の説明では、前述の実施の形態１７と異なる部分についてのみ説明する。また、本構成例は請求項１９の発明に対応する。
図１８において、発信者は自分の識別情報と通信相手である着信者の識別情報とを含む接続要求情報を通信事業者に対して出力する（図１８の３）。
なお、この場合、前述の実施の形態１７と同様に、通信事業者が発信者の識別情報を認識することが可能であれば、発信者は自分の識別情報を通信事業者に対して明示的に出力する必要はない。
発信者からの接続要求情報を受け取った通信事業者は、発信者と通信相手である着信者との間の呼接続処理を開始するが、発信者と着信者との間の呼を確立する前に、図１８に示されている呼接続装置１０、即ち、呼接続装置内の呼接続制御サーバ１２、Ｗｅｂ−ＵＲＬ選定サーバ１３、Ｗｅｂ−ＵＲＬデータベース１４およびＷｅｂ−ＵＲＬ登録サーバ１８を用いることにより、通信事業者が事前に指定した連絡情報の格納場所を示すいくつかの連絡アドレス情報の中から、前述の発信者に提供すべき適切な連絡情報に対応する連絡アドレス情報を選定し、選定された連絡アドレス情報を発信者に通知する。
【００７６】
即ち、前述したように、通信事業者は、発信者に対して提供したい連絡情報を予め用意しておき、この連絡情報をＷｅｂコンテンツとしてＷｅｂコンテンツサーバ１５に登録しておくとともに、当該連絡情報が登録、即ち、格納されている場所を示すＷｅｂ−ＵＲＬ情報である連絡アドレス情報を通信事業者が管理・運用するＷｅｂ−ＵＲＬ登録サーバ１８を介してＷｅｂ−ＵＲＬデータベース１４に登録しておく（図１８の１、２）。
なお、本実施の形態においては、着信者毎に異なった連絡情報をＷｅｂコンテンツサーバ１５に登録し、これらの連絡情報に対応する連絡アドレス情報をそれぞれＷｅｂ−ＵＲＬデータベース１４に登録するが、これらの連絡アドレス情報を登録する際には、例えば、着信者の識別情報の１つである着信者の電話番号に対応付けて登録する。
即ち、発信者からの接続要求情報を受け取った呼接続制御サーバ１２は、発信者に提供すべき広告情報の格納場所を示す連絡アドレス情報を取得するためにＷｅｂ−ＵＲＬ選定サーバ１３に対して、Ｗｅｂ−ＵＲＬ情報、即ち、連絡アドレス情報の要求を行うとともに、着信者の識別情報である着信者の電話番号情報をＷｅｂ−ＵＲＬ選定サーバ１３に通知する（図１８の４）。
【００７７】
Ｗｅｂ−ＵＲＬ選定サーバ１３は、通知された着信者の電話番号情報に基づいて、前述のＷｅｂ−ＵＲＬデータベース１４を参照し（図１８の５）、当該電話番号情報に対応付けられて登録されている連絡アドレス情報をＷｅｂ−ＵＲＬデータベース１４から取得し（図１８の６）、この連絡アドレス情報を呼接続制御サーバ１２に通知する（図１８の７）。
呼接続制御サーバ１２は、受け取った連絡アドレス情報を前述の発信者に対して出力する（図１８の８）。
発信者は受け取った連絡アドレス情報にて示されるＷｅｂコンテンツサーバ１５に格納されているＷｅｂコンテンツ、即ち、連絡情報を、Ｗｅｂコンテンツサーバ１５から取得し、当該ネットワーク上に接続された発信端末１１に搭載されているＷｅｂブラウザ等の情報閲覧アプリケーションを起動して連絡情報を閲覧する（図１８の９、１０）。
この発信端末１１は、Ｗｅｂコンテンツサーバ１５から取得した連絡情報をＷｅｂブラウザ等で発信者に閲覧させて一定時間が経過した後に、当該連絡情報を発信者が閲覧したという旨を通信事業者に通知する。
【００７８】
例えば、着信者が引越しをして着信者の識別情報である電話番号が変更になった場合に、通信事業者が連絡情報として当該着信者が引越しをして電話番号が変わったという旨をＷｅｂコンテンツサーバ１５に登録し、発信者から接続要求があった時に発信者に対してその旨を呼接続前に通知することが可能である。
このような場合には、当該発信者の発信端末から前述したような当該連絡情報を発信者が閲覧したという旨が通知されると、通信事業者は呼接続処理を続行せずに処理を終了する。
あるいは、必要に応じて、引越し先にいる着信者との間の呼接続処理を行い呼接続を行うことも可能である。
なお、本実施の形態においては、発信者が使用する発信端末が通信事業者に対して当該連絡情報を発信者が閲覧したという旨を通知するが、例えば、このような通知を行うことなく、通信事業者が発信端末１１に対して連絡アドレス情報を通知してから予め決めた一定時間が経過した後に呼接続処理を終了することも可能である。
【００７９】
また、本実施の形態においてはＷｅｂ−ＵＲＬ選定サーバ１３は着信者の電話番号情報に基づいて連絡アドレス情報を選定したが、着信者の電話番号情報以外の、例えば、着信者の位置情報等に基づいて連絡アドレス情報を選定することも可能である。
このように、例えば、着信者の位置情報等に基づいて連絡アドレス情報を選定する場合には、通信事業者はＷｅｂ−ＵＲＬ登録サーバ１８を介して前述した連絡アドレス情報を着信者の位置情報等に対応付けてＷｅｂ−ＵＲＬデータベース１４に登録する必要があるのは言うまでもない。従って、ここではその説明は省略する。
前述したような処理を行うことにより、通信事業者は発信者と着信者との間の呼が確立される前に、発信者に対して自動的にその発信者に提供すべき連絡情報を提供することが可能となる。
【００８０】
［実施の形態１９］
図１９は、本発明の実施の形態１９の情報提供方法を説明するためのブロック図である。なお、本構成例は請求項２６の発明に対応する。
図１９において、情報提供者３２は、発信者２１に提供したい任意のＷｅｂコンテンツを予めＷｅｂコンテンツサーバ１５に登録（図１９の１）するとともに、通信事業者３１に対して前述のＷｅｂコンテンツの登録場所を示すＷｅｂ−ＵＲＬ情報を通知する（図１９の２）。
その後、発信者２１は、自分の識別情報と通信相手である着信者２２の識別情報とを含む接続要求情報を通信事業者３１に対して出力する（図１９の３）。
発信者２１からの接続要求情報を受け取った通信事業者３１は、発信者２１と通信相手である着信者２２との間の呼接続処理を開始するが、発信者２１と着信者２２との間の呼を確立する前に、前述したように情報提供者３２が事前に通信事業者３１に対して通知したＷｅｂ−ＵＲＬ情報の中から、前述の発信者２１に提供すべき適切なＷｅｂコンテンツに対応するＷｅｂ−ＵＲＬ情報を選定して発信者２１に通知する（図１９の４）。
【００８１】
発信者２１は通知されたＷｅｂ−ＵＲＬ情報にて示されるＷｅｂコンテンツサーバ１５に格納されているＷｅｂコンテンツをＷｅｂコンテンツサーバ１５から取得し、当該ネットワーク上に接続された発信端末に搭載されているＷｅｂブラウザ等の情報閲覧アプリケーションを起動してＷｅｂコンテンツを閲覧する（図１９の５、６）。
その後、通信事業者３１は、発信者２１と着信者２２との間の呼接続処理を続行し、呼の確立を行う（図１９の７）。
この呼の確立の後、発信者２１と着信者２２は通信を行う。
以上のようなサービスを提供するにあたり、通信事業者３１は前述の情報提供者３２に対して情報提供料としてお金を支払う。
【００８２】
前述したような処理を行うことにより、通信事業者３１は、発信者２１と着信者２２との間の呼が確立される前に、発信者２１に対して情報提供者３２が提供したい情報を自動的に提供することが可能となる。
従って、例えば、生年月日に応じた「今日の運勢」といった情報を前述の情報提供者３２が事前に登録しておき、通信事業者３１が事前に登録された発信者２１の生年月日を利用して前述のＷｅｂ−ＵＲＬ情報を選定することにより、発信者２１は着信者２２と通信を行う前に、自分の「今日の運勢」を知ることができる。
このようなサービスを提供することにより、当該サービスを利用する接続要求の増加が期待できるため、通信事業者３１の利益の増加も期待できる。
また、通信事業者３１が前述した利益の増加分の一部、あるいは全部を情報提供者３２に支払うことで、情報提供者３２は利益を獲得することができる。
【００８３】
［実施の形態２０］
図２０は、本発明の実施の形態２０の情報提供方法を説明するためのブロック図である。
なお、本実施の形態は、発信者２１が通信事業者３１に対して、情報料を支払うようにした点で、前述の実施の形態１９と相異する。
以下、本実施の形態について、主に前述の実施の形態１９との相異点を中心に説明する。なお、本構成例は請求項２７の発明に対応する。
図２０において、情報提供者３２が登録したＷｅｂコンテンツを閲覧した発信者２１は、通信事業者３１に対して情報料を支払う。
情報提供者３２が、提供するＷｅｂコンテンツが前述の情報料に見合う価値のあるものであれば、発信者２１は情報料を支払ってでもこのような情報提供サービスを利用することが期待できる。
従って、このようなサービスを提供することにより、通信事業者３１は発信者２１からの情報料収入が期待でき、また、通信事業者３１が獲得した利益の増加分の一部あるいは全部を情報提供者３２に支払うことで、情報提供者３２は利益を獲得することができる。
【００８４】
［実施の形態２１］
図２１は、本発明の実施の形態２１の広告提供方法を説明するためのブロック図である。なお、本構成例は請求項２８の発明に対応する。
図２１において、広告事業者３３は、発信者２１に提供したい広告情報を持つＷｅｂコンテンツを予めＷｅｂコンテンツサーバ１５に登録（図２１の１）するとともに、通信事業者３１に対して前述の広告情報を持つＷｅｂコンテンツの登録場所を示すＷｅｂ−ＵＲＬ情報を通知する（図２１の２）。
その後、発信者２１は、自分の識別情報と通信相手である着信者２２の識別情報とを含む接続要求情報を通信事業者３１に対して出力する（図２１の３）。
発信者２１からの接続要求情報を受け取った通信事業者３１は、発信者２１と通信相手である着信者２２との間の呼接続処理を開始するが、発信者２１と着信者２２との間の呼を確立する前に、前述したように広告事業者３３が事前に通信事業者３１に対して通知したＷｅｂ−ＵＲＬ情報の中から、前述の発信者２１に提供すべき適切な広告情報を持つＷｅｂコンテンツに対応するＷｅｂ−ＵＲＬ情報を選定して発信者２１に通知する（図２１の４）。
【００８５】
発信者２１は、通知されたＷｅｂ−ＵＲＬ情報にて示されるＷｅｂコンテンツサーバ１５に格納されている広告情報を持つＷｅｂコンテンツを、Ｗｅｂコンテンツサーバ１５から取得し、当該ネットワーク上に接続された発信端末に搭載されているＷｅｂブラウザ等の情報閲覧アプリケーションを起動して広告情報を閲覧する（図２１の５、６）。
その後、通信事業者３１は、発信者２１と着信者２２との間の呼接続処理を続行し、呼の確立を行う（図２１の７）。
この呼の確立の後、発信者２１と着信者２２は通信を行う。
以上のようなサービスを提供するにあたり、広告事業者３３は、通信事業者３１に対して広告提供料を支払う。
前述したような処理を行うことにより、通信事業者３１は発信者２１と着信者２２との間の呼が確立される前に、発信者２１に対して広告提供者が提供したい広告情報を自動的に提供することが可能となる。
このようなサービスを提供することにより、通信事業者３１には広告事業者３３から広告提供料が支払われるため、通信事業者３１の利益の増加が期待できる。
【００８６】
［実施の形態２２］
図２２は、本発明の実施の形態２２の広告提供方法を説明するための図である。
なお、本実施の形態は、通信事業者３１が発信者２１から徴収すべき通信料金の少なくとも一部（即ち、通信料金の一部、あるいは全額）を免除するようにした点で、前述の実施の形態２１と相異する。
以下、本実施の形態について、主に前述の実施の形態２１との相異点を中心に説明する。なお、本構成例は請求項２９の発明に対応する。
図２２において、広告事業者３３が登録した広告情報を閲覧した発信者２１に対し、通信事業者３１は当該広告情報を閲覧した後に行われる発信者２１と着信者２２との間の通信に対して、発信者２１から徴収すべき通信料金の一部、あるいは全額を免除する。
このようなサービスを提供することにより、発信者２１の通信料金の負担が軽減されるため、多くの発信者２１がこのサービスを利用することが期待される。
また、これに応じて多くの広告事業者３３がこのサービスを利用することが期待できるため、通信事業者３１はより多くの広告提供料による収入を得ることが可能となる。
また、通信事業者３１は通信料金の免除によって通信料による収入が減少した分以上の広告提供料を広告事業者３３から徴収することにより、利益を確保することができる。
【００８７】
［実施の形態２３］
図２３は、本発明の実施の形態２３の情報登録方法を説明するためのブロック図である。なお、本構成例は請求項３０の発明に対応する。
図２３において、発信者２１は、着信者２２に提供したいＷｅｂコンテンツを予めＷｅｂコンテンツサーバ１５に登録（図２３の１）するとともに、通信事業者３１に対して前述のＷｅｂコンテンツの登録場所を示すＷｅｂ−ＵＲＬ情報を通知する（図２３の２）。
その後、発信者２１は、自分の識別情報と通信相手である着信者２２の識別情報とを含む接続要求情報を通信事業者３１に対して出力する（図２３の３）。
発信者２１からの接続要求情報を受け取った通信事業者３１は、発信者２１と通信相手である着信者２２との間の呼接続処理を開始するが、発信者２１と着信者２２との間の呼を確立する前に、前述したように発信者２１が事前に通信事業者３１に対して通知したＷｅｂ−ＵＲＬ情報の中から、前述の着信者２２に提供すべきＷｅｂコンテンツに対応するＷｅｂ−ＵＲＬ情報を選定して着信者２２に通知する（図２３の４）。
【００８８】
着信者２２は、通知されたＷｅｂ−ＵＲＬ情報にて示されるＷｅｂコンテンツサーバ１５に格納されているＷｅｂコンテンツを、Ｗｅｂコンテンツサーバ１５から取得し、当該ネットワーク上に接続された着信端末に搭載されているＷｅｂブラウザ等の情報閲覧アプリケーションを起動し、取得したＷｅｂコンテンツを閲覧する（図２３の５、６）。
その後、通信事業者３１は、発信者２１と着信者２２との間の呼接続処理を続行し、呼の確立を行う（図２３の７）。
この呼の確立の後、発信者２１と着信者２２は通信を行う。
以上のようなサービスを提供するにあたり、発信者２１は、通信事業者３１に対して情報登録料を支払う。
前述したような処理を行うことにより、通信事業者３１は発信者２１と着信者２２との間の呼が確立される前に、着信者２２に対して発信者２１が提供したいＷｅｂコンテンツを自動的に提供することが可能となる。
【００８９】
このようなサービスを提供することにより、例えば、発信者２１が通信内容に関連するＷｅｂコンテンツを、着信者２２と通信を行う前に着信者２２に提供することが可能であり、発信者２１と着信者２２との間の通信においてスムーズなやり取りを実現することができるようになる。また、発信者２１から通信事業者３１に対して情報登録料が支払われるため、通信事業者３１の利益の増加が期待できる。
なお、本実施の形態において、着信者２２が、発信者２１に提供したいＷｅｂコンテンツを予めＷｅｂコンテンツサーバ１５に登録するとともに、通信事業者３１に対して前述のＷｅｂコンテンツの登録場所を示すＷｅｂ−ＵＲＬ情報を通知し、通信事業者３１が、着信者２２が事前に通信事業者３１に対して通知したＷｅｂ−ＵＲＬ情報の中から、発信者２１に提供すべきＷｅｂコンテンツに対応するＷｅｂ−ＵＲＬ情報を選定して発信者２１に通知するようにしてもよい。
【００９０】
以上説明したように、前述の実施の形態によれば、呼接続が完了する前であっても、発信者または着信者、あるいは発信者および着信者に対して情報を提供することが可能となる。
これにより、例えば、前述したようにコールセンターの受け付け時間外に発信者がコールセンターに電話した場合であっても、発信者あるいは着信者は通話料金を通信事業者に支払うこと無く発信者は受け付け時間外であることを知ることが可能となる。
また、着信者のみならず発信者あるいは第三者が、発信者あるいは着信者に対して情報を提供することも可能となるため、より柔軟に高品質なサービスを提供することが可能となる。
これにより、例えば、第三者が発信者に対して企業の広告を見せることによって当該企業から広告収入を得るというような事業を行うことが可能となる。
【００９１】
さらに、従来のように情報を格納するための装置を着信側に設置する必要がないため、着信側のコスト負担を低減することが可能である。
さらにまた、提供する情報を選定する際に、従来のような発信者の電話番号情報のみならず、着信側の識別情報、発信者あるいは着信者の位置情報、発信者から出力されるＳｕｂｊｅｃｔ情報、あるいは呼接続が行われる時刻情報等に基づいて情報を選定することができるため、さまざまな状況に応じて情報を選択するような高品質なサービスを提供することが可能となる。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００９２】
【発明の効果】
本願において開示される発明のうち代表的なものによって得られる効果を簡単に説明すれば、下記の通りである。
（１）本発明によれば、呼接続が完了する前であっても、発信者または着信者、あるいは発信者および着信者に対して情報を提供することが可能となる。
これにより、例えば、前述したようにコールセンターの受け付け時間外に発信者がコールセンターに電話した場合であっても、発信者あるいは着信者は通話料金を通信事業者に支払うこと無く発信者は受け付け時間外であることを知ることが可能となる。
（２）本発明によれば、着信者のみならず発信者あるいは第三者が、発信者あるいは着信者に対して情報を提供することも可能となるため、より柔軟に高品質なサービスを提供することが可能となる。
これにより、例えば、第三者が発信者に対して企業の広告を見せることによって当該企業から広告収入を得るというような事業を行うことが可能となる。
（３）本発明によれば、従来のように情報を格納するための装置を着信側に設置する必要がないため、着信側のコスト負担を低減することが可能である。
【図面の簡単な説明】
【図１】本発明の実施の形態１の通信システムを示すブロック図である。
【図２】本発明の実施の形態２の通信システムを示すブロック図である。
【図３】本発明の実施の形態３の通信システムを示すブロック図である。
【図４】本発明の実施の形態４の通信システムを示すブロック図である。
【図５】本発明の実施の形態５の通信システムを示すブロック図である。
【図６】本発明の実施の形態６の通信システムを示すブロック図である。
【図７】本発明の実施の形態７の通信システムを示すブロック図である。
【図８】本発明の実施の形態８の通信システムを示すブロック図である。
【図９】本発明の実施の形態９の通信システムを示すブロック図である。
【図１０】本発明の実施の形態１０の通信システムを示すブロック図である。
【図１１】本発明の実施の形態１１の通信システムを示すブロック図である。
【図１２】本発明の実施の形態１２の通信システムを示すブロック図である。
【図１３】本発明の実施の形態１３の通信システムを示すブロック図である。
【図１４】本発明の実施の形態１４の通信システムを示すブロック図である。
【図１５】本発明の実施の形態１５の通信システムを示すブロック図である。
【図１６】本発明の実施の形態１６の通信システムを示すブロック図である。
【図１７】本発明の実施の形態１７の通信システムを示すブロック図である。
【図１８】本発明の実施の形態１８の通信システムを示すブロック図である。
【図１９】本発明の実施の形態１９の情報提供方法を説明するためのブロック図である。
【図２０】本発明の実施の形態２０の情報提供方法を説明するためのブロック図である。
【図２１】本発明の実施の形態２１の広告提供方法を説明するためのブロック図である。
【図２２】本発明の実施の形態２２の広告提供方法を説明するための図である。
【図２３】本発明の実施の形態２３の情報登録方法を説明するためのブロック図である。
【図２４】従来の通信システムの一例を示すブロック図である。
【符号の説明】
１０…呼接続装置、１１…発信端末、１２…呼接続制御サーバ、１３…Ｗｅｂ−ＵＲＬ選定サーバ、１４…Ｗｅｂ−ＵＲＬデータベース、１５，１５Ａ，１５Ｂ…Ｗｅｂコンテンツサーバ、１６…着信端末、１７…位置管理サーバ、１８…Ｗｅｂ−ＵＲＬ登録サーバ、２０…顧客、２１…発信者、２２…着信者、３０…サポートセンタ、３１…通信事業者、３２…情報提供者、３３…広告事業者、５０…コールセンター、５１…コンピュータ、５２…顧客データベース、５３Ａ，５３Ｂ…端末装置、５３Ａ，５４Ｂ…電話。
【図１】
0003766279.tif 000002
【図２】
0003766279.tif 000003
【図３】
0003766279.tif 000004
【図４】
0003766279.tif 000005
【図５】
0003766279.tif 000006
【図６】
0003766279.tif 000007
【図７】
0003766279.tif 000008
【図８】
0003766279.tif 000009
【図９】
0003766279.tif 000010
【図１０】
0003766279.tif 000011
【図１１】
0003766279.tif 000012
【図１２】
0003766279.tif 000013
【図１３】
0003766279.tif 000014
【図１４】
0003766279.tif 000015
【図１５】
0003766279.tif 000016
【図１６】
0003766279.tif 000017
【図１７】
0003766279.tif 000018
【図１８】
0003766279.tif 000019
【図１９】
0003766279.tif 000020
【図２０】
0003766279.tif 000021
【図２１】
0003766279.tif 000022
【図２２】
0003766279.tif 000023
【図２３】
0003766279.tif 000024
【図２４】
0003766279.tif 000025